(57)【要約】  通信システムでＴＤＤ（Ｔｉｍｅ  Ｄｉｖｉｓｉｏｎ  Ｄｕｐｌｅｘ）を支援する第１トランシーバ（ｔｒａｎｓｃｅｉｖｅｒ）及び／または第２トランシーバの方法及び装置が提供される。  第２トランシーバは、第１フレームのｎ番目のサブフレームで第１トランシーバにアップリンクデータを伝送する。第１トランシーバは、第１フレーム以後に第２フレームのｎ番目のサブフレームで第２トランシーバにダウンリンクデータを伝送する。前記ｎ番目のサブフレームは、選択的にアップリンク時区間及びダウンリンク時区間のうち少なくとも１つとして運用されることができる時区間である。
2014514797.tif 000002
【特許請求の範囲】
【請求項１】
ＴＤＤ（Ｔｉｍｅ  Ｄｉｖｉｓｉｏｎ  Ｄｕｐｌｅｘ）を支援する基地局の通信方法において、
動的サブフレーム運用可否及びアップリンクに設定された動的サブフレーム候補のうち少なくとも１つを含む第１情報を端末に送信する第１送信段階と；
前記動的サブフレーム候補をダウンリンクサブフレームに変更して使用するか否かを含む第２情報を前記端末に送信する第２送信段階と；
前記動的サブフレーム候補をダウンリンクサブフレームに変更して使用する場合、前記動的サブフレーム候補をダウンリンクに設定し、前記端末に送信する第３送信段階と；を含む通信方法。
【請求項２】
前記第１送信段階は、
前記第１情報をシステム情報、またはＲＲＣ（Ｒａｄｉｏ  Ｒｅｓｏｕｒｃｅ  Ｃｏｎｔｒｏｌ）シグナリングを通じて前記端末に送信し、
前記第２伝送段階は、
前記第２情報を前記動的サブフレーム候補以前に位置するサブフレームのうち１つのサブフレームでアップリンク資源割り当て信号を含む信号を通じて伝送することを特徴とする請求項１に記載の通信方法。
【請求項３】
前記第１送信段階で、
前記第１情報は、前記動的サブフレーム候補をダウンリンクサブフレームに変更して使用するか否かをさらに含み、前記基地局は、前記第１情報をＲＲＣシグナリングを利用して前記端末に送信し、
前記第３送信段階で、
前記基地局は、前記第２情報と関係なく、前記第１情報を基盤にして前記動的サブフレーム候補をダウンリンクに設定し、前記端末に送信することを特徴とする請求項１に記載の通信方法。
【請求項４】
ＨＡＲＱに対する確認メッセージを伝送する段階をさらに含み、
前記ＨＡＲＱに対する確認メッセージを伝送する時点は、前記動的候補と同一の番号のサブフレームがダウンリンクサブフレームに設定されたＴＤＤ設定のうち、いずれか１つのＴＤＤ設定のＨＡＲＱに対する確認メッセージ伝送時点に従うことを特徴とする請求項１に記載の通信方法。
【請求項５】
ＴＤＤ（Ｔｉｍｅ  Ｄｉｖｉｓｉｏｎ  Ｄｕｐｌｅｘ）を支援する端末機の通信方法において、
動的サブフレーム運用可否及びアップリンクに設定された動的サブフレーム候補のうち少なくとも１つを含む第１情報を基地局から受信する第１受信段階と；
前記動的サブフレーム候補をダウンリンクサブフレームに変更して使用するか否かを含む第２情報を前記基地局から受信する第２送信段階と；
前記動的サブフレーム候補をダウンリンクサブフレームに変更して使用する場合、前記基地局から前記動的サブフレーム候補でダウンリンクを受信する第３受信段階と；を含む通信方法。
【請求項６】
前記第１受信段階は、
前記第１情報をシステム情報、またはＲＲＣ（Ｒａｄｉｏ  Ｒｅｓｏｕｒｃｅ  Ｃｏｎｔｒｏｌ）シグナリングを通じて前記基地局から受信し、
前記第２受信段階は、
前記第２情報を前記動的サブフレーム候補以前に位置するサブフレームのうち１つのサブフレームでアップリンク資源割り当て信号を含む信号を通じて受信することを特徴とする請求項５に記載の通信方法。
【請求項７】
前記第１受信段階は、
前記第１情報は、前記動的サブフレーム候補をダウンリンクサブフレームに変更して使用するか否かをさらに含み、前記端末は、前記第１情報をＲＲＣシグナリングを利用して前記基地局から受信し、
前記第３受信段階で、
前記端末は、前記第２情報と関係なく、前記第１情報を基盤にして前記動的サブフレーム候補をダウンリンクに受信することを特徴とする請求項５に記載の通信方法。
【請求項８】
ＨＡＲＱに対する確認メッセージを受信する段階をさらに含み、
前記ＨＡＲＱに対する確認メッセージを受信する時点は、前記動的候補と同一の番号のサブフレームがダウンリンクサブフレームに設定されたＴＤＤ設定のうち、いずれか１つのＴＤＤ設定のＨＡＲＱに対する確認メッセージ受信時点に従うことを特徴とする請求項５に記載の通信方法。
【請求項９】
ＴＤＤ（Ｔｉｍｅ  Ｄｉｖｉｓｉｏｎ  Ｄｕｐｌｅｘ）を支援する基地局の通信装置において、
端末機とデータを送受信することができる送受信部と、
動的サブフレーム運用可否及びアップリンクに設定された動的サブフレーム候補のうち少なくとも１つを含む第１情報を端末に送信し、前記動的サブフレーム候補をダウンリンクサブフレームに変更して使用するか否かを含む第２情報を前記端末に送信し、前記動的サブフレーム候補をダウンリンクサブフレームに変更して使用する場合、前記動的サブフレーム候補をダウンリンクに設定し、前記端末に送信するように前記送受信部を制御する制御部と、を含む通信装置。
【請求項１０】
前記制御部は、前記第１情報は、システム情報、またはＲＲＣ（Ｒａｄｉｏ  Ｒｅｓｏｕｒｃｅ  Ｃｏｎｔｒｏｌ）シグナリングを通じて前記端末に送信され、前記第２情報は、前記動的サブフレーム候補以前に位置するサブフレームのうち１つのサブフレームでアップリンク資源割り当て信号を含む信号を通じて送信されることを特徴とする請求項９に記載の通信装置。
【請求項１１】
前記第１情報は、前記動的サブフレーム候補をダウンリンクサブフレームに変更して使用するか否かをさらに含み、
前記制御部は、前記基地局は、前記第１情報をＲＲＣシグナリングを利用して前記端末に送信し、前記第２情報と関係なく、前記第１情報を基盤にして前記動的サブフレーム候補をダウンリンクに設定し、前記端末に送信することを特徴とする請求項９に記載の通信装置。
【請求項１２】
前記制御部は、ＨＡＲＱに対する確認メッセージを伝送し、前記ＨＡＲＱに対する確認メッセージを伝送する時点は、前記動的候補と同一の番号のサブフレームがダウンリンクサブフレームに設定されたＴＤＤ設定のうち、いずれか１つのＴＤＤ設定のＨＡＲＱに対する確認メッセージ伝送時点に従うことを特徴とする請求項９に記載の通信装置。
【請求項１３】
ＴＤＤ（Ｔｉｍｅ  Ｄｉｖｉｓｉｏｎ  Ｄｕｐｌｅｘ）を支援する端末機の通信装置において、
基地局とデータを送受信することができる送受信部と、
動的サブフレーム運用可否及びアップリンクに設定された動的サブフレーム候補のうち少なくとも１つを含む第１情報を基地局から受信し、前記動的サブフレーム候補をダウンリンクサブフレームに変更して使用するか否かを含む第２情報を前記基地局から受信し、前記動的サブフレーム候補をダウンリンクサブフレームに変更して使用する場合、前記基地局から前記動的サブフレーム候補でダウンリンクを受信するように前記送受信部を制御する制御部と、を含む通信装置。
【請求項１４】
前記制御部は、第１情報をシステム情報、またはＲＲＣ（Ｒａｄｉｏ  Ｒｅｓｏｕｒｃｅ  Ｃｏｎｔｒｏｌ）シグナリングを通じて前記基地局から受信し、前記第２情報を前記動的サブフレーム候補以前に位置するサブフレームのうち１つのサブフレームでアップリンク資源割り当て信号を含む信号を通じて受信するように前記送受信部を制御することを特徴とする請求項１３に記載の通信装置。
【請求項１５】
前記第１情報は、前記動的サブフレーム候補をダウンリンクサブフレームに変更して使用するか否かをさらに含み、
前記制御部は、前記端末は、前記第１情報をＲＲＣシグナリングを利用して前記基地局から受信し、前記端末は、前記第２情報と関係なく、前記第１情報を基盤にして前記動的サブフレーム候補をダウンリンクに受信するように前記送受信部を制御することを特徴とする請求項１３に記載の通信装置。
【請求項１６】
前記制御部は、ＨＡＲＱに対する確認メッセージを受信するように前記送受信部を制御し、前記ＨＡＲＱに対する確認メッセージを受信する時点は、前記動的候補と同一の番号のサブフレームがダウンリンクサブフレームに設定されたＴＤＤ設定のうち、いずれか１つのＴＤＤ設定のＨＡＲＱに対する確認メッセージ受信時点に従うことを特徴とする請求項１３に記載の通信装置。
【発明の詳細な説明】
【技術分野】
【０００１】
通信システムで時分割復信（Ｔｉｍｅ  Ｄｉｖｉｓｉｏｎ  Ｄｕｐｌｅｘ）を支援する技術が開示される。より詳細には、効率的に時分割復信方式を運用することができる技術が開示される。
【背景技術】
【０００２】
無線通信システムは、初期の音声中心のサービスを提供したことから脱し、例えば、３ＧＰＰのＨＳＰＡ（Ｈｉｇｈ  Ｓｐｅｅｄ  Ｐａｃｋｅｔ  Ａｃｃｅｓｓ）、ＬＴＥ（Ｌｏｎｇ  Ｔｅｒｍ  Ｅｖｏｌｕｔｉｏｎ）、３ＧＰＰ２のＨＲＰＤ（Ｈｉｇｈ  Ｒａｔｅ  Ｐａｃｋｅｔ  Ｄａｔａ）、ＵＭＢ（Ｕｌｔｒａ  Ｍｏｂｉｌｅ  Ｂｒｏａｄｂａｎｄ）、及びＩＥＥＥの８０２．１６ｅなどの通信標準のように高速、高品質のパケットデータサービスを提供する広帯域無線通信システムに発展している。
【０００３】
前記広帯域無線通信システムの代表的な例として、ＬＴＥシステムにおいて、ダウンリンク（Ｄｏｗｎｌｉｎｋ）では、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式を採用しており、アップリンク（Ｕｐｌｉｎｋ）では、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式を採用している。
【０００４】
また、ＬＴＥシステムは、初期伝送で復号失敗が発生した場合、物理階層で当該データを再伝送するＨＡＲＱ方式を採用している。ＨＡＲＱ方式というのは、受信機がデータを正確に復号しない場合、受信機が送信機に復号失敗を通知する情報（ＮＡＣＫ）を伝送し、送信機が物理階層で当該データを再伝送することができるようにする。また、受信機がデータを正確に復号した場合、送信機に復号成功を通知する情報（ＡＣＫ）を伝送し、送信機が新しいデータを伝送することができるようにする。
【０００５】
ＯＦＤＭ方式で変調信号は、時間と周波数で構成された２次元資源（ｒｅｓｏｕｒｃｅ）に位置する。時間軸上の資源は、互いに異なるＯＦＤＭシンボルに区別されることができる。周波数軸上の資源は、互いに異なるトーン（ｔｏｎｅ）に区別され、互いに直交することができる。ＯＦＤＭ方式では、時間軸上で特定ＯＦＤＭシンボルを指定し、周波数軸上で特定トーンを指定すれば、１つの最小単位資源を示すことができ、最小単位資源を資源要素（Ｒｅｓｏｕｒｃｅ  Ｅｌｅｍｅｎｔ；ＲＥ）と称する。
【０００６】
物理チャネルは、１つまたはそれ以上の符号化されたビット流を変調した変調シンボルを伝送する物理階層のチャネルである。直交周波数分割多重接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、ＯＦＤＭＡ）システムでは、送信するビット流の用途や受信機によって複数の物理チャネルが構成されることができる。物理チャネルをどのＲＥに配置して伝送するかに対する規則を写像またはマッピング（ｍａｐｐｉｎｇ）と言う。
【発明の概要】
【発明が解決しようとする課題】
【０００７】
例示的な実施例の一態様によれば、通信システムでＴＤＤ（Ｔｉｍｅ  Ｄｉｖｉｓｉｏｎ  Ｄｕｐｌｅｘ）を支援する第１トランシーバ（ｔｒａｎｓｃｅｉｖｅｒ）の方法において、第１フレームのｎ番目（ｎ−ｔｈ）のサブフレームで第２トランシーバから伝送されたアップリンクデータを受信する段階と、前記第１フレーム以後に第２フレームの前記ｎ番目のサブフレームで前記第２トランシーバにダウンリンクデータを伝送する段階とを含み、前記ｎは、整数（ｉｎｔｅｇｅｒ）であり、前記ｎ番目のサブフレームは、アップリンク時区間及びダウンリンク時区間のうち少なくとも１つとして選択的に運用されることができる時区間であり、前記第１フレームの前記ｎ番目のサブフレームは、前記アップリンク時区間であり、前記第２フレームの前記ｎ番目のサブフレームは、前記選択的に運用されることができる時区間のうち前記ダウンリンク時区間として活性化された（ａｃｔｉｖａｔｅｄ）時区間を示す動的（ｆｌｅｘｉｂｌｅ）サブフレームであることができる。
【０００８】
一態様によれば、前記ｎ番目のサブフレームは、前記動的サブフレームとして運用されない場合、前記アップリンク時区間として運用され、前記ｎ番目のサブフレームと隣接するｎ＋１番目（（ｎ＋１）−ｔｈ）サブフレームは、前記ダウンリンク時区間であることができる。
【０００９】
一態様によれば、前記第１フレームは、特別（ｓｐｅｃｉａｌ）サブフレームを含み、前記ｎ＋１番目のサブフレームは、前記特別サブフレーム以後に最も早いダウンリンク時区間であることができる。
【００１０】
一態様によれば、前記第２フレームで前記動的サブフレームが前記特別サブフレームと前記ｎ＋１番目のサブフレームとの間に前記ｎ番目のサブフレームを含んで整数（ｉｎｔｅｇｅｒ）であるｐ個が存在する場合、前記ｐ個の動的サブフレームは、ｎ−ｐ＋１番目のサブフレームから前記ｎ番目までの時間軸上で隣接するサブフレームであることができる。
【００１１】
一態様によれば、前記アップリンク時区間で前記第２トランシーバから伝送された前記アップリンクデータに対するＨＡＲＱ（Ｈｙｂｒｉｄ  Ａｕｔｏｍａｔｉｃ  Ｒｅｐｅａｔ  ｒｅＱｕｅｓｔ）が支援される場合、前記動的サブフレームの配列（ａｒｒａｎｇｅｍｅｎｔ）に対する構成情報（ｃｏｎｆｉｇｕｒａｔｉｏｎ  ｉｎｆｏｒｍａｔｉｏｎ）に基づいて前記第２トランシーバの前記アップリンクデータ伝送に相当するＨＡＲＱ応答を伝送する時点を示す情報をメモリに維持する段階をさらに含むことができる。
【００１２】
一態様によれば、前記ダウンリンク時区間で前記第２トランシーバに伝送する前記ダウンリンクデータに対するＨＡＲＱが支援される場合、前記動的サブフレームの配列に対する構成情報に基づいて前記第２トランシーバのＨＡＲＱ応答に相当する前記ダウンリンクデータの伝送時点を示す情報をメモリに維持する段階をさらに含むことができる。
【００１３】
一態様によれば、前記動的サブフレームが運用されることができることを示す情報を含むシステム情報を前記第２トランシーバに伝送する段階と、前記第２フレームの前記ｎ番目のサブフレームが前記動的サブフレームとして活性化されるように、前記第２フレームの前記ｎ番目のサブフレームに対するアップリンクスケジューリング情報の伝送を排除する（ｅｘｃｌｕｄｉｎｇ）段階とをさらに含むことができる。
【００１４】
一態様によれば、前記ｎ番目のサブフレームを含んで前記動的サブフレームとして運用されることができるサブフレームの配列に対する構成情報は、前記第１トランシーバ及び前記第２トランシーバであらかじめ約束されたものであることができる。
【００１５】
一態様によれば、前記第２フレーム以後に第３フレームの前記ｎ番目のサブフレームが前記動的サブフレームから解除され（ｂｅｉｎｇ  ｒｅｌｅａｓｅｄ  ｆｒｏｍ）、前記アップリンク時区間になるように、前記第３フレームの前記ｎ番目のサブフレームに対するアップリンクスケジューリング情報を伝送する段階をさらに含むことができる。
【００１６】
一態様によれば、前記動的サブフレームが運用されることができることを示す情報を含むシステム情報を前記第２トランシーバに伝送する段階と、ｎ−ｐ＋１番目のサブフレームから前記ｎ番目のサブフレームまでの時間軸上で連続的に隣接するｐ個のサブフレームそれぞれが前記動的サブフレームで活性化されるように、前記第２フレームの前記ｎ−ｐ＋１番目のサブフレームに対するアップリンクスケジューリング情報の伝送を排除する段階とをさらに含み、前記ｐは、整数（ｉｎｔｅｇｅｒ）であることができる。
【００１７】
一態様によれば、ＲＲＣ（Ｒａｄｉｏ  Ｒｅｓｏｕｒｃｅ  Ｃｏｎｔｒｏｌ）シグナリングを利用して前記動的サブフレームとして運用されることができるサブフレームの配列に対する構成情報を前記第２トランシーバに伝送する段階をさらに含むことができる。
【００１８】
一態様によれば、前記第２フレームの前記ｎ番目のサブフレームが前記動的サブフレームとして活性化されるように、前記第２フレームの前記ｎ番目のサブフレームに対するアップリンクスケジューリング情報の伝送を排除する（ｅｘｃｌｕｄｉｎｇ）段階と、前記第２フレーム以後に第３フレームの前記ｎ番目のサブフレームが前記動的サブフレームから解除され（ｂｅｉｎｇ  ｒｅｌｅａｓｅｄ  ｆｒｏｍ）、前記アップリンク時区間になるように、前記第３フレームの前記ｎ番目のサブフレームに対するアップリンクスケジューリング情報を伝送する段階とをさらに含むことができる。
【００１９】
一態様によれば、前記第２フレーム以後に第３フレームの前記ｎ番目のサブフレームが前記アップリンク時区間になるように、前記ＲＲＣシグナリングを利用して前記動的サブフレームを解除する段階をさらに含むことができる。
【００２０】
一態様によれば、前記第１フレームのｎ−１番目のサブフレームは、前記ｎ番目のサブフレームと隣接する特別サブフレーム−前記特別サブフレームは、時間軸上で一部のダウンリンク時区間、保護時区間及び一部のアップリンク時区間を含む−であり、前記第１フレームの前記ｎ−１番目のサブフレームと前記ｎ−１番目のサブフレーム以後に最も早いダウンリンクサブフレームとの間に整数（ｉｎｔｅｇｅｒ）であるｑ個のアップリンクサブフレームが存在する場合、前記第２フレームの前記ｎ−１番目のサブフレームからｎ＋ｑ−１番目のサブフレームまでの隣接するｑ＋１個のサブフレームが前記動的サブフレームとして運用されることができる。
【００２１】
一態様によれば、前記第２フレームの前記ｎ−１番目のサブフレームは、ダウンリンク帯域（ｆｒｅｑｕｅｎｃｙ  ｒｅｇｉｏｎ）の少なくとも一部の帯域及び前記ｎ−１番目のサブフレームの全体時区間を占有し、前記第２トランシーバに前記ダウンリンクデータを伝送可能な時区間であることができる。
【００２２】
一態様によれば、伝送を中止するサブフレームに関する情報を含むブランキングマスク（ｂｌａｎｋｉｎｇ  ｍａｓｋ）信号を前記第１トランシーバと隣接する第３トランシーバに伝送する段階をさらに含むことができる。
【００２３】
一態様によれば、伝送を中止するサブフレームに関する情報を含むブランキングマスク信号を前記第１トランシーバと隣接する第３トランシーバから受信する段階と、運用可能な動的サブフレームのうち前記伝送を中止するサブフレームに属するサブフレームを前記動的サブフレームとして決定する段階とをさらに含むことができる
【００２４】
一態様によれば、前記第１トランシーバと隣接する第３トランシーバで干渉を受ける周波数帯域情報を示すオーバーロード指示子（ｏｖｅｒｌｏａｄ  ｉｎｄｉｃａｔｏｒ）を前記第３トランシーバから受信する段階と、前記第３トランシーバで干渉を与えることができる周波数帯域情報を示す干渉指示子（ｉｎｔｅｒｆｅｒｅｎｃｅ  ｉｎｄｉｃａｔｏｒ）を前記第３トランシーバから受信する段階と、前記オーバーロード指示子及び前記干渉指示子のうち少なくとも１つに基づいて前記動的サブフレームとして運用される時区間で相対的に干渉が多い周波数帯域より干渉が少ない周波数帯域に優先的に前記ダウンリンクデータをスケジューリングする段階とをさらに含むことができる。
【００２５】
例示的な実施例の一態様によれば、通信システムでＴＤＤ（Ｔｉｍｅ  Ｄｉｖｉｓｉｏｎ  Ｄｕｐｌｅｘ）を支援する第２トランシーバ（ｔｒａｎｓｃｅｉｖｅｒ）の方法において、第１フレームのｎ番目（ｎ−ｔｈ）のサブフレームで第１トランシーバにアップリンクデータを伝送する段階と、前記第１フレーム以後に第２フレームの前記ｎ番目のサブフレームで前記第１トランシーバから伝送されたダウンリンクデータを受信する段階とを含み、前記ｎは、整数（ｉｎｔｅｇｅｒ）であり、前記ｎ番目のサブフレームは、アップリンク時区間及びダウンリンク時区間のうち少なくとも１つとして選択的に運用されることができる時区間であり、前記第１フレームの前記ｎ番目のサブフレームは、前記アップリンク時区間であり、前記第２フレームの前記ｎ番目のサブフレームは、前記選択的に運用されることができる時区間のうち前記ダウンリンク時区間として活性化された（ａｃｔｉｖａｔｅｄ）時区間を示す動的（ｆｌｅｘｉｂｌｅ）サブフレームであることができる。
【００２６】
一態様によれば、前記ｎ番目のサブフレームは、前記動的サブフレームとして運用されない場合、前記アップリンク時区間として運用され、前記ｎ番目のサブフレームと隣接するｎ＋１番目（（ｎ＋１）−ｔｈ）のサブフレームは、前記ダウンリンク時区間であることができる。
【００２７】
一態様によれば、前記第１フレームは、特別（ｓｐｅｃｉａｌ）サブフレームを含み、前記ｎ＋１番目のサブフレームは、前記特別サブフレーム以後に最も早いダウンリンク時区間であることができる。
【００２８】
一態様によれば、前記第２フレームで前記動的サブフレームが前記特別サブフレームと前記ｎ＋１番目のサブフレームとの間に前記ｎ番目のサブフレームを含んで整数（ｉｎｔｅｇｅｒ）であるｐ個が存在する場合、前記ｐ個の動的サブフレームは、ｎ−ｐ＋１番目のサブフレームから前記ｎ番目までの時間軸上で隣接するサブフレームであることができる。
【００２９】
一態様によれば、前記アップリンク時区間で前記第１トランシーバに伝送される前記アップリンクデータに対するＨＡＲＱ（Ｈｙｂｒｉｄ  Ａｕｔｏｍａｔｉｃ  Ｒｅｐｅａｔ  ｒｅＱｕｅｓｔ）が支援される場合、前記動的サブフレームの配列（ａｒｒａｎｇｅｍｅｎｔ）に対する構成情報（ｃｏｎｆｉｇｕｒａｔｉｏｎ  ｉｎｆｏｒｍａｔｉｏｎ）に基づいて前記第１トランシーバのＨＡＲＱ応答及び再伝送スケジューリング情報のうち少なくとも１つに相当する前記アップリンクデータを伝送する時点を示す情報をメモリに維持する段階をさらに含むことができる。
【００３０】
一態様によれば、前記動的サブフレームが運用されることができることを示す情報を含むシステム情報を前記第１トランシーバから受信する段階をさらに含み、前記ダウンリンクデータを受信する段階は、前記第２フレームの前記ｎ番目のサブフレームに対するアップリンクスケジューリング情報が前記第１トランシーバから受信されない場合、前記第２フレームの前記ｎ番目のサブフレームで前記第１トランシーバから伝送された前記ダウンリンクデータを受信する段階であることができる。
【００３１】
一態様によれば、前記ｎ番目のサブフレームを含んで前記動的サブフレームとして運用されることができるサブフレームの配列に関する構成情報は、前記第１トランシーバ及び前記第２トランシーバであらかじめ約束されたものであることができる。
【００３２】
一態様によれば、前記第２フレーム以後に第３フレームの前記ｎ番目のサブフレームに対するアップリンクスケジューリング情報を受信する段階と、前記動的サブフレームから解除された前記第３フレームの前記ｎ番目のサブフレームで、前記アップリンクスケジューリング情報に相当するアップリンクデータを伝送する段階とをさらに含むことができる。
【００３３】
一態様によれば、前記動的サブフレームが運用されることができることを示す情報を含むシステム情報を前記第１トランシーバから受信する段階と、前記第２フレームのｎ−ｐ＋１番目のサブフレームに対するアップリンクスケジューリング情報が前記第１トランシーバから受信されない場合、前記ｎ−ｐ＋１番目のサブフレームから前記ｎ番目のサブフレームまでの時間軸上で連続的に隣接するｐ個のサブフレームそれぞれが前記動的サブフレームとして活性化されることを認知する段階とをさらに含み、前記ｐは、整数であることができる。
【００３４】
一態様によれば、ＲＲＣ（Ｒａｄｉｏ  Ｒｅｓｏｕｒｃｅ  Ｃｏｎｔｒｏｌ）シグナリングを利用して前記動的サブフレームとして運用されることができるサブフレームの配列に対する構成情報を前記第１トランシーバから受信する段階をさらに含むことができる。
【００３５】
一態様によれば、前記ダウンリンクデータを受信する段階は、前記第２フレームの前記ｎ番目のサブフレームに対するアップリンクスケジューリング情報が前記第１トランシーバから受信されない場合、前記第２フレームの前記ｎ番目のサブフレームで前記第１トランシーバから前記ダウンリンクデータを受信する段階であることができる。
【００３６】
一態様によれば、前記ＲＲＣシグナリングを通じて前記動的サブフレームの解除に関する情報を受信した場合、前記第２フレーム以後に第３フレームの前記ｎ番目のサブフレームが前記アップリンク時区間になるように前記動的サブフレームを解除する段階をさらに含むことができる。
【００３７】
一態様によれば、前記第１フレームのｎ−１番目のサブフレームは、前記ｎ番目のサブフレームと隣接する特別サブフレーム−前記特別サブフレームは、時間軸上で一部のダウンリンク時区間、保護時区間及び一部のアップリンク時区間を含む−であり、前記第１フレームの前記ｎ−１番目のサブフレームと前記ｎ−１番目のサブフレーム以後に最も早いダウンリンクサブフレームとの間に整数（ｉｎｔｅｇｅｒ）であるｑ個のアップリンクサブフレームが存在する場合、前記第２フレームの前記ｎ−１番目のサブフレームからｎ＋ｑ−１番目のサブフレームまでの隣接するｑ＋１個のサブフレームが前記動的サブフレームとして運用されることができる。
【００３８】
一態様によれば、前記第２フレームの前記ｎ−１番目のサブフレームは、ダウンリンク帯域（ｆｒｅｑｕｅｎｃｙ  ｒｅｇｉｏｎ）の少なくとも一部の帯域及び前記ｎ−１番目のサブフレームの全体時区間を占有し、前記第１トランシーバからダウンリンクデータが伝送された時区間であることができる。
【００３９】
例示的な実施例の一態様によれば、通信システムでＴＤＤ（Ｔｉｍｅ  Ｄｉｖｉｓｉｏｎ  Ｄｕｐｌｅｘ）を支援する第１トランシーバ（ｔｒａｎｓｃｅｉｖｅｒ）の方法において、第１フレームのｎ番目（ｎ−ｔｈ）のサブフレームで第２トランシーバから伝送されたデータを受信する段階と、前記第１フレーム以後に第２フレームの前記ｎ番目のサブフレームで前記第２トランシーバにデータを伝送する段階を含み、前記ｎは、整数（ｉｎｔｅｇｅｒ）であり、前記第１フレーム及び前記第２フレームは、前記ｎ番目のサブフレームと隣接するダウンリンク時区間であるｎ＋１番目のサブフレームを含み、前記ｎ番目のサブフレームは、選択的にアップリンク時区間及び前記ダウンリンク時区間のうち少なくとも１つとして運用されることができる時区間であることができる。
【００４０】
例示的な実施例の一態様によれば、通信システムでＴＤＤを支援する第２トランシーバの方法において、第１フレームのｎ番目のサブフレームで第１トランシーバにデータを伝送する段階と、前記第１フレーム以後に第２フレームの前記ｎ番目のサブフレームで前記第１トランシーバからデータを受信する段階とを含み、前記ｎは、整数（ｉｎｔｅｇｅｒ）であり、前記第１フレーム及び前記第２フレームは、前記ｎ番目のサブフレームと隣接するダウンリンク時区間であるｎ＋１番目のサブフレームを含み、前記ｎ番目のサブフレームは、選択的にアップリンク時区間及び前記ダウンリンク時区間のうち少なくとも１つとして運用されることができる時区間であることができる。
【００４１】
例示的な実施例の一態様によれば、通信システムでＴＤＤ（Ｔｉｍｅ  Ｄｉｖｉｓｉｏｎ  Ｄｕｐｌｅｘ）を支援する第１トランシーバ（ｔｒａｎｓｃｅｉｖｅｒ）において、第１フレームのｎ番目（ｎ−ｔｈ）のサブフレームで第２トランシーバから伝送されたアップリンクデータを受信する受信部と、前記第１フレーム以後に第２フレームの前記ｎ番目のサブフレームで前記第２トランシーバにダウンリンクデータを伝送する送信部と、前記ｎ番目のサブフレーム及び動的（ｆｌｅｘｉｂｌｅ）サブフレームを識別する制御部とを含み、前記ｎは、整数（ｉｎｔｅｇｅｒ）であり、前記ｎ番目のサブフレームは、アップリンク時区間及びダウンリンク時区間のうち少なくとも１つとして選択的に運用されることができる時区間であり、前記第１フレームの前記ｎ番目のサブフレームは、前記アップリンク時区間であり、前記第２フレームの前記ｎ番目のサブフレームは、前記選択的に運用されることができる時区間のうち前記ダウンリンク時区間として活性化された（ａｃｔｉｖａｔｅｄ）時区間を示す前記動的サブフレームであることができる。
【００４２】
一態様によれば、前記ｎ番目のサブフレームは、前記動的サブフレームとして運用されない場合、前記アップリンク時区間として運用され、前記ｎ番目のサブフレームと隣接するｎ＋１番目（（ｎ＋１）−ｔｈ）サブフレームは、前記ダウンリンク時区間であることができる。
【００４３】
一態様によれば、前記第１フレームは、特別（ｓｐｅｃｉａｌ）サブフレームを含み、前記ｎ＋１番目のサブフレームは、前記特別サブフレーム以後に最も早いダウンリンク時区間であることができる。
【００４４】
一態様によれば、前記第２フレームで前記動的サブフレームが前記特別サブフレームと前記ｎ＋１番目のサブフレームとの間に前記ｎ番目のサブフレームを含んで整数（ｉｎｔｅｇｅｒ）であるｐ個が存在する場合、前記ｐ個の動的サブフレームは、ｎ−ｐ＋１番目のサブフレームから前記ｎ番目までの時間軸上で隣接するサブフレームであることができる。
【００４５】
一態様によれば、前記アップリンク時区間で前記第２トランシーバから伝送された前記アップリンクデータに対するＨＡＲＱ（Ｈｙｂｒｉｄ  Ａｕｔｏｍａｔｉｃ  Ｒｅｐｅａｔ  ｒｅＱｕｅｓｔ）が支援される場合、前記動的サブフレームの配列（ａｒｒａｎｇｅｍｅｎｔ）に対する構成情報（ｃｏｎｆｉｇｕｒａｔｉｏｎ  ｉｎｆｏｒｍａｔｉｏｎ）に基づいて前記第２トランシーバの前記アップリンクデータ伝送に相当するＨＡＲＱ応答を伝送する時点を示す情報を維持するメモリをさらに含むことができる。
【００４６】
一態様によれば、前記ダウンリンク時区間で前記第２トランシーバに伝送する前記ダウンリンクデータに対するＨＡＲＱが支援される場合、前記動的サブフレームの配列に対する構成情報に基づいて前記第２トランシーバのＨＡＲＱ応答に相当する前記ダウンリンクデータの伝送時点を示す情報を維持するメモリをさらに含むことができる。
【００４７】
一態様によれば、前記送信部は、前記動的サブフレームが運用されることができることを示す情報を含むシステム情報を前記第２トランシーバに伝送し、前記制御部は、前記第２フレームの前記ｎ番目のサブフレームが前記動的サブフレームとして活性化されるように、前記第２フレームの前記ｎ番目のサブフレームに対するアップリンクスケジューリング情報の伝送が排除されるように制御することができる。
【００４８】
一態様によれば、前記ｎ番目のサブフレームを含んで前記動的サブフレームとして運用されることができるサブフレームの配列に対する構成情報は、前記第１トランシーバ及び前記第２トランシーバであらかじめ約束されたものであることができる。
【００４９】
一態様によれば、前記制御部は、前記第２フレーム以後に第３フレームの前記ｎ番目のサブフレームが前記動的サブフレームから解除され（ｂｅｉｎｇ  ｒｅｌｅａｓｅｄ  ｆｒｏｍ）、前記アップリンク時区間になるように、前記第３フレームの前記ｎ番目のサブフレームに対するアップリンクスケジューリング情報が伝送されるように制御することができる。
【００５０】
一態様によれば、前記送信部は、前記動的サブフレームが運用されることができることを示す情報を含むシステム情報を前記第２トランシーバに伝送し、前記制御部は、ｎ−ｐ＋１番目のサブフレームから前記ｎ番目のサブフレームまでの時間軸上で連続的に隣接するｐ個のサブフレームそれぞれが前記動的サブフレームとして活性化されるように、前記第２フレームの前記ｎ−ｐ＋１番目のサブフレームに対するアップリンクスケジューリング情報の伝送が排除されるように制御し、前記ｐは、整数（ｉｎｔｅｇｅｒ）であることができる。
【００５１】
一態様によれば、前記送信部は、ＲＲＣ（Ｒａｄｉｏ  Ｒｅｓｏｕｒｃｅ  Ｃｏｎｔｒｏｌ）シグナリングを利用して前記動的サブフレームとして運用されることができるサブフレームの配列に対する構成情報を前記第２トランシーバに伝送することができる。
【００５２】
一態様によれば、前記制御部は、前記第２フレームの前記ｎ番目のサブフレームが前記動的サブフレームとして活性化されるように、前記第２フレームの前記ｎ番目のサブフレームに対するアップリンクスケジューリング情報の伝送が排除されるように制御し、前記第２フレーム以後に第３フレームの前記ｎ番目のサブフレームが前記動的サブフレームから解除され（ｂｅｉｎｇ  ｒｅｌｅａｓｅｄ  ｆｒｏｍ）、前記アップリンク時区間になるように、前記第３フレームの前記ｎ番目のサブフレームに対するアップリンクスケジューリング情報が伝送されるように制御することができる。
【００５３】
一態様によれば、前記制御部は、前記第２フレーム以後に第３フレームの前記ｎ番目のサブフレームが前記アップリンク時区間になるように、前記ＲＲＣシグナリングを利用して前記動的サブフレームを解除することができる。
【００５４】
一態様によれば、前記第１フレームのｎ−１番目のサブフレームは、前記ｎ番目のサブフレームと隣接する特別サブフレーム−前記特別サブフレームは、時間軸上で一部のダウンリンク時区間、保護時区間及び一部のアップリンク時区間を含む−であり、前記第１フレームの前記ｎ−１番目のサブフレームと前記ｎ−１番目のサブフレーム以後に最も早いダウンリンクサブフレームとの間に整数（ｉｎｔｅｇｅｒ）であるｑ個のアップリンクサブフレームが存在する場合、前記第２フレームの前記ｎ−１番目のサブフレームからｎ＋ｑ−１番目のサブフレームまでの隣接するｑ＋１個のサブフレームが前記動的サブフレームとして運用されることができる。
【００５５】
一態様によれば、前記第２フレームの前記ｎ−１番目のサブフレームは、ダウンリンク帯域（ｆｒｅｑｕｅｎｃｙ  ｒｅｇｉｏｎ）の少なくとも一部帯域及び前記ｎ−１番目のサブフレームの全体時区間を占有し、前記第２トランシーバにダウンリンクデータを伝送可能な時区間であることができる。
【００５６】
一態様によれば、前記制御部は、伝送を中止するサブフレームに関する情報を含むブランキングマスク（ｂｌａｎｋｉｎｇ  ｍａｓｋ）信号が前記第１トランシーバと隣接する第３トランシーバに伝送されるように制御することができる。
【００５７】
一態様によれば、前記制御部は、伝送を中止するサブフレームに関する情報を含むブランキングマスク信号が前記第１トランシーバと隣接する第３トランシーバから受信されるように制御し、運用可能な動的サブフレームのうち前記伝送を中止するサブフレームに属するサブフレームを前記動的サブフレームとして決定することができる。
【００５８】
一態様によれば、前記制御部は、前記第１トランシーバと隣接する第３トランシーバで干渉を受ける周波数帯域情報を示すオーバーロード指示子（ｏｖｅｒｌｏａｄ  ｉｎｄｉｃａｔｏｒ）が前記第３トランシーバから受信されるように制御し、前記第３トランシーバで干渉を与えることができる周波数帯域情報を示す干渉指示子（ｉｎｔｅｒｆｅｒｅｎｃｅｉｎｄｉｃａｔｏｒ）が前記第３トランシーバから受信されるように制御し、前記オーバーロード指示子及び前記干渉指示子のうち少なくとも１つに基づいて前記動的サブフレームとして運用される時区間で相対的に干渉が多い周波数帯域より干渉が少ない周波数帯域に優先的に前記ダウンリンクデータをスケジューリングすることができる。
【００５９】
例示的な実施例の一態様によれば、通信システムでＴＤＤ（Ｔｉｍｅ  Ｄｉｖｉｓｉｏｎ  Ｄｕｐｌｅｘ）を支援する第２トランシーバ（ｔｒａｎｓｃｅｉｖｅｒ）において、第１フレームのｎ番目（ｎ−ｔｈ）のサブフレームで第１トランシーバにアップリンクデータを伝送する送信部と、前記第１フレーム以後に第２フレームの前記ｎ番目のサブフレームで前記第１トランシーバから伝送されたダウンリンクデータを受信する受信部と、前記ｎ番目のサブフレーム及び動的（ｆｌｅｘｉｂｌｅ）サブフレームを識別する制御部とを含み、前記ｎは、整数（ｉｎｔｅｇｅｒ）であり、前記ｎ番目のサブフレームは、アップリンク時区間及びダウンリンク時区間のうち少なくとも１つとして選択的に運用されることができる時区間であり、前記第１フレームの前記ｎ番目のサブフレームは、前記アップリンク時区間であり、前記第２フレームの前記ｎ番目のサブフレームは、前記選択的に運用されることができる時区間のうち前記ダウンリンク時区間として活性化された（ａｃｔｉｖａｔｅｄ）時区間を示す前記動的サブフレームであることができる。
【００６０】
一態様によれば、前記ｎ番目のサブフレームは、前記動的サブフレームとして運用されない場合、前記アップリンク時区間として運用され、前記ｎ番目のサブフレームと隣接するｎ＋１番目（（ｎ＋１）−ｔｈ）のサブフレームは、前記ダウンリンク時区間であることができる。
【００６１】
一態様によれば、前記第１フレームは、特別（ｓｐｅｃｉａｌ）サブフレームを含み、前記ｎ＋１番目のサブフレームは、前記特別サブフレーム以後に最も早いダウンリンク時区間であることができる。
【００６２】
一態様によれば、前記第２フレームで前記動的サブフレームが前記特別サブフレームと前記ｎ＋１番目のサブフレームとの間に前記ｎ番目のサブフレームを含んで整数（ｉｎｔｅｇｅｒ）であるｐ個が存在する場合、前記ｐ個の動的サブフレームは、ｎ−ｐ＋１番目のサブフレームから前記ｎ番目までの時間軸上で隣接するサブフレームであることができる。
【００６３】
一態様によれば、前記アップリンク時区間で前記第１トランシーバに伝送される前記アップリンクデータに対するＨＡＲＱ（Ｈｙｂｒｉｄ  Ａｕｔｏｍａｔｉｃ  Ｒｅｐｅａｔ  ｒｅＱｕｅｓｔ）が支援される場合、前記動的サブフレームの配列（ａｒｒａｎｇｅｍｅｎｔ）に対する構成情報（ｃｏｎｆｉｇｕｒａｔｉｏｎ  ｉｎｆｏｒｍａｔｉｏｎ）に基づいて前記第１トランシーバのＨＡＲＱ応答及び再伝送スケジューリング情報のうち少なくとも１つに相当する前記アップリンクデータを伝送する時点を示す情報を維持するメモリをさらに含むことができる。
【００６４】
一態様によれば、前記受信部は、前記動的サブフレームが運用されることができることを示す情報を含むシステム情報を前記第１トランシーバから受信し、前記制御部は、前記第２フレームの前記ｎ番目のサブフレームに対するアップリンクスケジューリング情報が前記第１トランシーバから受信されない場合、前記第２フレームの前記ｎ番目のサブフレームで前記第１トランシーバから伝送された前記ダウンリンクデータが受信されるように制御することができる。
【００６５】
一態様によれば、前記ｎ番目のサブフレームを含んで前記動的サブフレームとして運用されることができるサブフレームの配列に対する構成情報は、前記第１トランシーバ及び前記第２トランシーバであらかじめ約束されたものであることができる。
【００６６】
一態様によれば、前記受信部は、前記第２フレーム以後に第３フレームの前記ｎ番目のサブフレームに対するアップリンクスケジューリング情報を受信し、前記制御部は、前記動的サブフレームから解除された前記第３フレームの前記ｎ番目のサブフレームで、前記アップリンクスケジューリング情報に相当するアップリンクデータが伝送されるように制御することができる。
【００６７】
一態様によれば、前記受信部は、前記動的サブフレームが運用されることができることを示す情報を含むシステム情報を前記第１トランシーバから受信し、前記制御部は、前記第２フレームのｎ−ｐ＋１番目のサブフレームに対するアップリンクスケジューリング情報が前記第１トランシーバから受信されない場合、前記ｎ−ｐ＋１番目のサブフレームから前記ｎ番目のサブフレームまでの時間軸上で連続的に隣接するｐ個のサブフレームそれぞれが前記動的サブフレームとして活性化されることを認知し、前記ｐは、整数であることができる。
【００６８】
一態様によれば、前記受信部は、ＲＲＣ（Ｒａｄｉｏ  Ｒｅｓｏｕｒｃｅ  Ｃｏｎｔｒｏｌ）シグナリングを利用して前記動的サブフレームとして運用されることができるサブフレームの配列に対する構成情報を前記第１トランシーバから受信することができる。
【００６９】
一態様によれば、前記制御部は、前記第２フレームの前記ｎ番目のサブフレームに対するアップリンクスケジューリング情報が前記第１トランシーバから受信されない場合、前記第２フレームの前記ｎ番目のサブフレームで前記第１トランシーバから前記ダウンリンクデータが受信されるように制御することができる。
【００７０】
一態様によれば、前記制御部は、前記ＲＲＣシグナリングを通じて前記動的サブフレームの解除に関する情報を受信した場合、前記第２フレーム以後に第３フレームの前記ｎ番目のサブフレームが前記アップリンク時区間になるように前記動的サブフレームを解除することができる。
【００７１】
一態様によれば、前記第１フレームのｎ−１番目のサブフレームは、前記ｎ番目のサブフレームと隣接する特別サブフレーム−前記特別サブフレームは、時間軸上で一部のダウンリンク時区間、保護時区間及び一部のアップリンク時区間を含む−であり、前記第１フレームの前記ｎ−１番目のサブフレームと前記ｎ−１番目のサブフレーム以後に最も早いダウンリンクサブフレームとの間に整数（ｉｎｔｅｇｅｒ）であるｑ個のアップリンクサブフレームが存在する場合、前記第２フレームの前記ｎ−１番目のサブフレームからｎ＋ｑ−１番目のサブフレームまでの隣接するｑ＋１個のサブフレームが前記動的サブフレームとして運用されることができる。
【００７２】
一態様によれば、前記第２フレームの前記ｎ−１番目のサブフレームは、ダウンリンク帯域（ｆｒｅｑｕｅｎｃｙ  ｒｅｇｉｏｎ）の少なくとも一部の帯域及び前記ｎ−１番目のサブフレームの全体時区間を占有し、前記第１トランシーバからダウンリンクデータが伝送された時区間であることができる。
【００７３】
本発明の一実施例によれば、ＴＤＤ（Ｔｉｍｅ  Ｄｉｖｉｓｉｏｎ  Ｄｕｐｌｅｘ）を支援する基地局の通信方法は、動的サブフレーム運用可否及びアップリンクに設定された動的サブフレーム候補のうち少なくとも１つを含む第１情報を端末に送信する第１送信段階と；前記動的サブフレーム候補をダウンリンクサブフレームに変更して使用するか否かを含む第２情報を前記端末に送信する第２送信段階と；前記動的サブフレーム候補をダウンリンクサブフレームに変更して使用する場合、前記動的サブフレーム候補をダウンリンクに設定し、前記端末に送信する第３送信段階とを含む。
【００７４】
本発明の他の実施例によれば、ＴＤＤ（Ｔｉｍｅ  Ｄｉｖｉｓｉｏｎ  Ｄｕｐｌｅｘ）を支援する端末機の通信方法は、動的サブフレーム運用可否及びアップリンクに設定された動的サブフレーム候補のうち少なくとも１つを含む第１情報を基地局から受信する第１受信段階と；前記動的サブフレーム候補をダウンリンクサブフレームに変更して使用するか否かを含む第２情報を前記基地局から受信する第２受信段階と；前記動的サブフレーム候補をダウンリンクサブフレームに変更して使用する場合、前記基地局から前記動的サブフレーム候補でダウンリンクを受信する第３受信段階と;を含むことを特徴とする。
【００７５】
他の実施例によれば、ＴＤＤ（Ｔｉｍｅ  Ｄｉｖｉｓｉｏｎ  Ｄｕｐｌｅｘ）を支援する基地局の通信装置は、端末機とデータを送受信できる送受信部と、動的サブフレーム運用可否及びアップリンクに設定された動的サブフレーム候補のうち少なくとも１つを含む第１情報を端末に送信し、前記動的サブフレーム候補をダウンリンクサブフレームに変更して使用するか否かを含む第２情報を前記端末に送信し、前記動的サブフレーム候補をダウンリンクサブフレームに変更して使用する場合、前記動的サブフレーム候補をダウンリンクに設定して前記端末に送信するように前記送受信部を制御する制御部とを含むことを特徴とする。
【００７６】
さらに他の実施例によれば、ＴＤＤ（Ｔｉｍｅ  Ｄｉｖｉｓｉｏｎ  Ｄｕｐｌｅｘ）を支援する端末機の通信装置は、基地局とデータを送受信できる送受信部と、動的サブフレーム運用可否及びアップリンクに設定された動的サブフレーム候補のうち少なくとも１つを含む第１情報を基地局から受信し、前記動的サブフレーム候補をダウンリンクサブフレームに変更して使用するか否かを含む第２情報を前記基地局から受信し、前記動的サブフレーム候補をダウンリンクサブフレームに変更して使用する場合、前記基地局から前記動的サブフレーム候補でダウンリンクを受信するように前記送受信部を制御する制御部とを含むことを特徴とする。
【００７７】
特定サブフレームがアップリンク時区間及びダウンリンク時区間のうち少なくとも１つとして選択的に運用されることによって、資源をさらに効果的で且つ柔軟に使用することができる方法及び装置が提供される。
【００７８】
また、ＴＤＤで変動するデータトラフィックの量によって一部のサブフレームが動的にアップリンク及びダウンリンクのうち１つとして運用されることによって、システム状態によってアップリンク用サブフレームとダウンリンク用サブフレームの比率を変更することができる方法及び装置が提供される。
【００７９】
また、動的サブフレームになり得る具体的な条件及び／または運用方案などを提供することによって、動的サブフレームが運用されることを識別することができる端末と識別することができない既存端末が共存する場合にも、エラーなしに動作可能な方法及び装置が提供される。
【００８０】
また、アップリンク用サブフレームとダウンリンク用サブフレームの比率が変更される場合、アップリンクデータまたはダウンリンクデータに対するＨＡＲＱ応答及び／またはデータの伝送時点に関する情報を提供することによって、動的サブフレームが運用されるＴＤＤで円滑にＨＡＲＱが支援されることができるようにする方法及び装置が提供される。
【００８１】
また、動的サブフレームが運用される場合、隣接セルとスケジューリング情報または干渉関連情報を受信及び／または送信することによって、隣接セルとの干渉を最小化することができる方法及び装置が提供される。
【００８２】
また、多重キャリア方式で動的サブフレームが運用される場合、各キャリアで同一のインデックスのサブフレームが動的サブフレームとして運用されることによって、動的サブフレームが運用される多重キャリア間の交差スケジューリングが可能な方法及び装置が提供される。
【図面の簡単な説明】
【００８３】
【図１】図１は、一実施例の一態様によるＴＤＤを運用するシステムを示す概念図である。
【図２】図２は、一実施例の一態様によるＴＤＤを運用するシステムを示す概念図である。
【図３】図３は、一実施例の一態様によるＴＤＤを支援する基地局の例示図である。
【図４】図４は、一実施例の一態様によるＴＤＤを支援する端末の例示図である。
【図５】図５は、一実施例の一態様によるＴＤＤシステムの時間軸での資源運用に対する概念図である。
【図６】図６は、一実施例の一態様によるＴＤＤシステムのサブフレーム構造を示す例示図である。
【図７】図７は、一実施例の一態様による動的サブフレームの運用に対する例示図である。
【図８】図８は、一実施例の一態様による動的サブフレームの運用に対する例示図である。
【図９】図９は、一実施例の一態様による動的サブフレームの運用に対する例示図である。
【図１０】図１０は、一実施例の一態様によるＨＡＲＱ時間関係を示す例示図である。
【図１１】図１１は、一実施例の一態様によるＨＡＲＱ時間関係を示す例示図である。
【図１２】図１２は、一実施例の一態様によるＨＡＲＱ時間関係を示す例示図である。
【図１３】図１３は、一実施例の一態様によるＨＡＲＱ時間関係を示す例示図である。
【図１４】図１４は、一実施例の一態様によるＨＡＲＱ時間関係を示す例示図である。
【図１５】図１５は、一実施例の一態様によるＨＡＲＱ時間関係を示す例示図である。
【図１６】図１６は、一実施例の一態様によるＨＡＲＱ時間関係を示す例示図である。
【図１７】図１７は、一実施例の一態様によるＨＡＲＱ時間関係を示す例示図である。
【図１８】図１８は、一実施例の一態様によるデータ伝送のための資源を示す例示図である。
【図１９】図１９は、一実施例の一態様によるシステムの干渉制御を示す例示図である。
【図２０】図２０は、一実施例の一態様によるシステムの干渉制御を示す例示図である。
【図２１】図２１は、一実施例の一態様によるシステムの多重キャリア運用を示す例示図である。
【図２２】図２２は、一実施例の一態様による基地局のＴＤＤを支援する方法を示す流れ図である。
【図２３】図２３は、一実施例の一態様による端末のＴＤＤを支援する方法を示す流れ図である。
【図２４】図２４は、一実施例の一態様による基地局のＴＤＤを支援する方法を示す流れ図である。
【図２５】図２５は、一実施例の一態様による端末のＴＤＤを支援する方法を示す流れ図である。
【図２６】図２６は、一実施例の一態様による基地局のＴＤＤを支援する方法を示す流れ図である。
【図２７】図２７は、一実施例の一態様による端末のＴＤＤを支援する方法を示す流れ図である。
【図２８】図２８は、一実施例の一態様による基地局のＴＤＤを支援する方法を示す流れ図である。
【図２９】図２９は、一実施例の一態様による端末のＴＤＤを支援する方法を示す流れ図である。
【図３０】図３０は、一実施例の一態様による基地局の干渉を制御する方法を示す流れ図である。
【図３１】図３１は、一実施例の一態様による基地局の干渉を制御する方法を示す流れ図である。
【図３２】図３２は、一実施例の一態様による基地局の干渉を制御する方法を示す流れ図である。
【図３３】図３３は、一実施例の一態様による基地局の干渉を制御する方法を示す流れ図である。
【発明を実施するための形態】
【００８４】
以下、添付の図面に記載された内容を参照して本発明による実施例を詳細に説明する。但し、本発明が実施例によって制限されるかまたは限定されるものではない。各図面に提示された同一の参照符号は、同一の部材を示す。
【００８５】
本明細書で使用される“実施例”、 “例”、 “態様”、 “例示”などは、記述された任意の態様（ａｓｐｅｃｔ）または設計が他の態様または設計より良好であるか、または利点があるものと解釈すべきものではない。
【００８６】
また、“または”という用語は、排他的論理和“ｅｘｃｌｕｓｉｖｅ  ｏｒ”であるよりは、論理和“ｉｎｃｌｕｓｉｖｅ  ｏｒ”を意味する。すなわち、他に言及されない限りまたは文脈から明確ではない限り、“ｘがａまたはｂを利用する”という表現は、包含的な自然順列（ｎａｔｕｒａｌ  ｉｎｃｌｕｓｉｖｅ  ｐｅｒｍｕｔａｔｉｏｎｓ）のうちいずれか１つを意味する。
【００８７】
また、本明細書及び請求項で使用される単数表現（“ａ”または“ａｎ”）は、他に言及しない限りまたは単数形態に関するものと文脈から明確ではない限り、一般的に“１つ以上”を意味するものと解釈すべきである。
【００８８】
また、本明細書に使用された“及び／または”という用語は、列挙された関連アイテムのうち１つ以上のアイテムの可能なすべての組合を指称し、含むものと理解すべきである。
【００８９】
また、“含む”及び／または“備える”という用語は、、当該特徴、段階、動作、モジュール、構成要素及び／またはコンポネントが存在することを意味するが、１つ以上の他の特徴、段階、動作、モジュール、構成要素、コンポネント及び／またはこれらのグループの存在または追加を排除しないものと理解すべきである。
【００９０】
また、本明細書で第１、第２などの用語が多様な構成要素を説明するために使用されることができるが、これら構成要素は、このような用語によって限定されない。このような用語は、２つ以上の構成要素間の区別のために使用されるだけであり、順序または優先順位を意味するものと解釈すべきものではない。
【００９１】
例示的な実施例によるトランシーバ（ｔｒａｎｓｃｅｉｖｅｒ）は、通信システムに含まれ、信号及び／またはデータを送信及び／または受信することができる。例えば、トランシーバは、端末、基地局またはネットワークエンティティなどになることができる。前記信号及び／またはデータは、訓練シンボル（ｔｒａｉｎｉｎｇ  ｓｙｍｂｏｌ）、制御信号、制御情報、トラフィックまたはパッデングなどを含むことができる。トランシーバを含む通信システムは、データの変調・復調による特定信号形態及び／または特定プロトコルなどに限定されず、多様な信号形態及び／または多様な特定プロトコルを使用することができる。例えば、通信システムは、ＩＥＥＥ  ８０２．１６、ＷｉＭＡＸまたはＬＴＥ（Ｌｏｎｇ  Ｔｅｒｍ  Ｅｖｏｌｕｔｉｏｎ）標準基盤のシステムなどを含むことができる。基地局は、端末の資源割り当てを行う主体であって、無線接続ユニット、基地局制御機、またはネットワーク上のノードのうち少なくとも１つであることができる。また、基地局は、中継器を含むことができる。端末は、セルラーフォン、スマートホン、コンピューター、または通信機能を行うことができるマルチメディアシステムなどを含むことができる。
【００９２】
例えば、通信システムでトランシーバは、第１トランシーバ及び／または第２トランシーバを含むことができる。第１トランシーバは、基地局であり、第２トランシーバは、端末であることができる。ダウンリンクデータ及び／またはダウンリンクデータに対してＨＡＲＱ（Ｈｙｂｒｉｄ  Ａｕｔｏｍａｔｉｃ  Ｒｅｐｅａｔ  ｒｅＱｕｅｓｔ）方式が適用されることができる。
【００９３】
以下で、ＬＴＥシステム及び／またはＬＴＥ−Ａ（ＬＴＥ−Ａｄｖａｎｃｅｄ）システムを例に取って例示的な実施例によるＴＤＤを支援する方法及び装置を説明する。一態様によれば、ＴＤＤ方式を運用するその他の無線通信システムにも例示的な実施例が適用可能である。
【００９４】
ＬＴＥシステムは、ＯＦＤＭ方式がダウンリンクに適用された代表的なシステムであり、アップリンクでは、ＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）が適用されるシステムである。また、ＬＴＥ−Ａシステムは、ＬＴＥシステムが多重バンドに拡張構成されるシステムを含むことができる。
【００９５】
ＬＴＥシステムのサブフレームは、時間軸に１ｍｓの長さと周波数軸に全体ＬＴＥ伝送帯域幅（Ｂａｎｄｗｉｄｔｈ；ＢＷ）を有することができ、時間軸に沿って２つのスロットに区分されることができる。ＬＴＥ伝送帯域幅は、多数個の資源ブロック（Ｒｅｓｏｕｒｃｅ  Ｂｌｏｃｋ；以下、“ＲＢ”という）よりなり、各ＲＢは、資源割り当ての基本単位で使用されることができる。各ＲＢは、周波数軸に配列された１２個のトーンと時間軸に配列された１４個のＯＦＤＭシンボルとで構成されることができる。サブフレームは、制御チャネルを伝送するための制御チャネル領域及び／またはデータチャネルを伝送するためのデータチャネル領域を含むことができる。また、制御チャネル領域及び／またはデータチャネル領域は、チャネル推定のための基準信号（Ｒｅｆｅｒｅｎｃｅ  Ｓｉｇｎａｌ；以下、ＲＳという）が挿入されることができる。
【００９６】
基地局は、伝送特性を反映し、物理階層ダウンリンクデータチャネル（Ｐｈｙｓｉｃａｌ  Ｄｏｗｎｌｉｎｋ  Ｓｈａｒｅｄ  ＣＨａｎｎｅｌ、以下、“ＰＤＳＣＨ”という）を構成し伝送することができる。また、基地局は、物理階層ダウンリンク制御チャネル（ＰｈｙｓｉｃａｌＤｏｗｎｌｉｎｋＣｏｎｔｒｏｌＣＨａｎｎｅｌ、以下、“ＰＤＣＣＨ”という）を介してＰＤＳＣＨに適用された伝送特性を端末に伝送することができる。また、基地局は、ＰＤＣＣＨを介してアップリンクに対する伝送特性を端末機に伝送することができる。ＰＤＣＣＨを受信した端末は、基地局が命令した伝送特性を反映し、物理階層アップリンクデータチャネル（Ｐｈｙｓｉｃａｌ  Ｕｐｌｉｎｋ  Ｓｈａｒｅｄ  ＣＨａｎｎｅｌ、以下、“ＰＵＳＣＨ”という）を構成し伝送することができる。
【００９７】
ＨＡＲＱ方式が使用される無線通信システムで、受信機は、再伝送された信号と以前に受信した信号を結合し、受信性能を改善することができる。ここで、受信機は、トランシーバの受信機能を行うことができる少なくとも一部であって、端末または基地局であることができる。また、送信機は、トランシーバの送信機能を行うことができる少なくとも一部であって、データの伝送主体によって端末または基地局であることができる。受信機は、再伝送を考慮して以前に受信したが、復号失敗されたデータをメモリに格納することができる。
【００９８】
また、ＡＣＫまたはＮＡＣＫのような受信機の応答信号が送信機まで伝達されるのにかかる時間の間に、送信機が他のデータを伝送することができるようにするためにＨＡＲＱプロセスが定義されることができる。ＨＡＲＱプロセスによって、受信機は、ＨＡＲＱプロセス識別子（ＨＡＲＱ  ｐｒｏｃｅｓｓ  ｉｄｅｎｔｉｆｉｃａｔｉｏｎ、以下、“ＨＡＲＱ  ＰＩＤ”という）を介して以前に受信されたどの信号と新しく受信された信号を結合するかを判断することができる。ＨＡＲＱプロセスで送信機が受信機にＨＡＲＱ  ＰＩＤを制御信号で通知するか否かによって同期式ＨＡＲＱ（ｓｙｎｃｈｒｏｎｏｕｓ  ＨＡＲＱ）と非同期式ＨＡＲＱ（ａｓｙｎｃｈｒｏｎｏｕｓ  ＨＡＲＱ）とに区分することができる。
【００９９】
同期式ＨＡＲＱでは、送信機が受信機にＨＡＲＱ  ＰＩＤを制御信号で通知しない代わりに、ＰＤＣＣＨが伝送されるサブフレーム（ｓｕｂｆｒａｍｅ）の一連番号またはインデックスを利用することができる。ここで、サブフレームは、時間軸上で資源割り当ての単位を意味することができる。
【０１００】
例えば、非同期式ＨＡＲＱでは、送信機が受信機にＨＡＲＱ  ＰＩＤを制御信号で通知することができる。基地局がＤＬのｎ番目のサブフレームでＰＤＣＣＨを利用してＵＬ伝送のためのスケジューリング情報を通じて資源割り当てを承認（ｇｒａｎｔ）すれば、スケジューリング情報は、サブフレーム一連番号ｎによってＨＡＲＱ  ＰＩＤが決定されることができる。例えば、サブフレーム一連番号ｎに対応するＨＡＲＱ  ＰＩＤは、０であると仮定すれば、サブフレーム一連番号ｎ＋１に対応するＨＡＲＱ  ＰＩＤは、１であると定義されることができる。また、サブフレーム一連番号ｎで伝送されたＵＬ承認（ｇｒａｎｔ）のためのＰＤＣＣＨは、新規データ指示子（ｎｅｗｄａｔａ  ｉｎｄｉｃａｔｏｒ、以下、“ＮＤＩ”という）を含むことができる。ＮＤＩが直前ＮＤＩ値から変更（ｔｏｇｇｌｅｄ）されたら、当該ＵＬ  ｇｒａｎｔは、新しいデータ伝送のためのＰＵＳＣＨを割り当てるものであり、ＮＤＩが直前ＮＤＩ値を維持したら、当該ＵＬ  ｇｒａｎｔは、以前に伝送されたデータの再伝送のためのＰＵＳＣＨを割り当てるものであることができる。
【０１０１】
例えば、同期式ＨＡＲＱで同一の伝送ブロック（ｔｒａｎｓｐｏｒｔ  ｂｌｏｃｋ、以下、“ＴＢ”という）の初期及び再伝送するタイミングは、サブフレームの一連番号によって決定されることができる。ＮＤＩが変更されたと仮定すれば、端末機は、新しいデータ伝送のためのＰＵＳＣＨの初期伝送（ｉｎｉｔｉａｌ  ｔｒａｎｓｍｉｓｓｉｏｎ）をサブフレームｎ＋４で行うことができる。端末機がサブフレームｎ＋４で伝送したＰＵＳＣＨデータを基地局が成功的に復号したか否かは、基地局がサブフレームｎ＋８で伝送するＰＨＩＣＨ（Ｐｈｙｓｉｃａｌ  ＨＡＲＱ  Ｉｎｄｉｃａｔｏｒ  ＣＨａｎｎｅｌ、以下、“ＰＨＩＣＨ”という）を介して確認することができる。確認結果、ＰＨＩＣＨがＮＡＣＫが伝送された場合、端末機は、サブフレームｎ＋１２でＰＵＳＣＨの再伝送を行うことができる。この際、基地局と端末機は、サブフレームｎ＋４で初期伝送したＴＢは、サブフレームｎ＋１２で再伝送されるということを事前に約束しているので、別途のＨＡＲＱ  ＰＩＤを導入することなく、ＨＡＲＱ動作を正常に行うことができる。
【０１０２】
また、同期式ＨＡＲＱで基地局が再伝送でＰＵＳＣＨの伝送資源、変調及び符号化方式などのＰＵＳＣＨの伝送特性を変更しようとする場合、これを指示するＰＤＣＣＨの伝送が許容されることができる。ＰＵＳＣＨの伝送特性変更が許容されるＨＡＲＱ方式を適応型同期式ＨＡＲＱ（ａｄａｐｔｉｖｅ  ｓｙｎｃｈｒｏｎｏｕｓ  ＨＡＲＱ）であると言う。適応型同期式ＨＡＲＱの場合、端末機の先符号化（ｐｒｅｃｏｄｉｎｇ）方式などの伝送特性を指示するためにＰＨＩＣＨとともにＰＤＣＣＨを伝送することができる。
【０１０３】
図１は、一実施例の一態様によるＴＤＤを運用するシステムを示す概念図である。
【０１０４】
図１を参照して説明すれば、ＴＤＤを運用するシステム（以下、ＴＤＤシステムという）は、少なくとも１つのセルが同一の周波数バンドを使用してアップリンク及びダウンリンクのデータを伝送するシステムであることができる。ＴＤＤシステムは、同一の周波数の１個のバンドを時間軸上で多重化し、任意の時点から、ダウンリンクの伝送を行い、さらに他の任意の時点から、アップリンクの伝送を行うことができる。一態様によるＴＤＤを支援する基地局１０２は、アップリンク及び／またはダウンリンクのトラフィック量をモニタリングすることができる。基地局１０２は、トラフィック量を考慮して動的サブフレームの運用可否を決定することができる。また、基地局１０２は、動的サブフレームとして運用されることができる候補（ｃａｎｄｉｄａｔｅ）サブフレームを識別することができる。すなわち、基地局１０２は、動的サブフレームとして運用されることができる候補サブフレーム情報を含む構成（ｃｏｎｆｉｇｕｒａｔｉｏｎ）情報を格納部に維持し、構成情報をアクセスすることができる。また、基地局１０２は、あらかじめ設定された規則に従って候補サブフレームを識別することもできる。一態様による動的（ｆｌｅｘｉｂｌｅ）サブフレームが運用されない場合、アップリンク伝送とダウンリンク伝送が基地局間に同一の時点で行われるように少なくとも互いに隣接するセルは、あらかじめ設定された時点にアップリンク及びダウンリンク伝送を行うことができる。基地局１０１は、相対的にセル伝送電力が大きい基地局（例えば、マクロｅＮｏｄｅＢ）であることができ、基地局１０２は、セル伝送電力が小さい基地局（例えば、小型ｅＮｏｄｅＢ）であることができる。端末１０３は、基地局１０２からサービスを提供される端末であることができる。アップリンク伝送時点（すなわち、アップリンクサブフレーム）１０８で端末１０３は、自分が属する基地局１０２にアップリンク伝送を行うことができ、この際、隣接基地局１０１に属する端末もアップリンク伝送を行うことができる。
【０１０５】
例えば、ＬＴＥシステムでは、動的（ｆｌｅｘｉｂｌｅ）サブフレームが運用されない場合、７個のＴＤＤ構成を基礎にしてあらかじめ定められた送受信時間が運用されることができる。
【０１０６】
【表１】
2014514797.tif 000003
【０１０７】
前記表１を参照して説明すれば、ＴＤＤ構成は、ＴＤＤ構成（ｃｏｎｆｉｇｕｒａｔｉｏｎ）０〜ＴＤＤ構成６のうち１つで運用されることができる。サブフレーム（ｓｕｂｆｒａｍｅ）０〜サブフレーム９は、１つのラジオフレームを構成するサブフレームのインデックスまたは番号を示すことができる。ＬＴＥシステムでは、１０ｍｓｅｃのラジオフレーム（以下”フレーム”という）が１０個の１ｍｓｅｃ長さのサブフレーム時間単位で構成されることができる。ここで、”Ｄ”は、ダウンリンクサブフレームであり、”Ｕ”は、アップリンクサブフレームであり、”Ｓ”は、特別サブフレームであることができる。特別サブフレームは、ダウンリンク部分（ＤｗＰＴＳ）、保護区間（ＧＰ）、及び／またはアップリンク部分（ＵｐＰＴＳ）を含むことができる。特別サブフレームに含まれたダウンリンク部分は、一般サブフレームに比べて短い時区間を有するが、一般ダウンリンクサブフレームの機能を行うことができる。システムは、特定ＴＤＤ構成がセルに適用されるように制御し、当該セルに属する端末がそのＴＤＤ構成を認知することができるようにＴＤＤ構成情報を送信及び／または交換することができる。システムは、特別サブフレームを利用して基地局と端末がダウンリンク伝送動作からアップリンク伝送動作に切り替えられる時間を確保することができる。また、特別サブフレームは、ダウンリンクサブフレーム以後及びアップリンクサブフレーム以前に位置することができる。また、アップリンクサブフレームのうち少なくとも一部は、連続的に示され、ダウンリンクサブフレームのうち少なくとも一部も連続的に示されることができる。ダウンリンクとアップリンクの間の切替には、特別サブフレームの時区間が利用されることができる。
【０１０８】
また、ＴＤＤ構成によってＨＡＲＱ時間関係が基地局及び／または端末にあらかじめ約束されるか、または設定されることができる。ＨＡＲＱ時間関係は、データ伝送に対する受信成功可否による再伝送時点の関係であることができる。ＨＡＲＱ時間関係は、３個の信号送信及び／または受信に関する情報を含むことができる。すなわち、ＨＡＲＱ時間関係は、基地局のＨＡＲＱ応答（ａｃｋｎｏｗｌｅｄｇｅｍｅｎｔ）及び伝送／再伝送スケジューリング情報のうち少なくとも１つに相当する端末がアップリンクデータを伝送する時点を示す情報、端末のアップリンクデータ伝送／再伝送に相当する基地局がＨＡＲＱ応答を伝送する時点を示す情報、及び／または端末のＨＡＲＱ応答に相当する基地局がダウンリンクデータを伝送する時点を示す情報を含むことができる。
【０１０９】
下記表２は、表１のＴＤＤ構成によって、基地局のＨＡＲＱ応答及び伝送／再伝送スケジューリング情報のうち少なくとも１つに相当する端末がアップリンクデータを伝送する時点を示す情報の一例である。
【０１１０】
【表２】
2014514797.tif 000004
【０１１１】
表２は、基地局のＨＡＲＱ応答または再伝送スケジューリング情報に対するＰＵＳＣＨ伝送時点ｉ−ｋを示すものであることができる。すなわち、表２で、基地局のＨＡＲＱ応答（一例として、ＰＨＩＣＨ）または再伝送スケジューリング情報（一例として、ＰＤＣＣＨ）の伝送時点がｉ番目のサブフレームである場合、前記ｉ番目のサブフレームに相当する端末のデータ（一例として、ＰＵＳＣＨ）伝送時点は、ｉ−ｋ番目のサブフレームであることができる。ここで、ｋは、表１の値であることができる。
【０１１２】
下記表３は、表１のＴＤＤ構成によって、端末のアップリンクデータ伝送／再伝送に相当する基地局がＨＡＲＱ応答を伝送する時点を示す情報の一例である。
【０１１３】
【表３】
2014514797.tif 000005
【０１１４】
表３は、ＰＵＳＣＨ伝送に対する基地局のＨＡＲＱ応答時点ｎ＋ｊを示すものであることができる。すなわち、表３で、端末のデータ（一例として、ＰＵＳＣＨ）伝送／再伝送時点がｎ番目のサブフレームである場合、基地局のＨＡＲＱ応答時点は、ｎ＋ｊ番目のサブフレームであることができる。ここで、ｊは、表２の値であることができる。
【０１１５】
下記表４は、表１のＴＤＤ構成によって、端末のＨＡＲＱ応答に相当する基地局がダウンリンクデータを伝送する時点を示す情報の一例である。
【０１１６】
【表４】
2014514797.tif 000006
【０１１７】
表４は、端末のＨＡＲＱ応答に対する基地局のデータ伝送時点ｍ−｛ｋ｝を示すものであることができる。表４で、端末のＨＡＲＱ応答時点がｍの場合、基地局のダウンリンクデータ伝送時点及び／またはダウンリンクスケジューリング情報伝送時点は、ｍ−｛ｋ｝であることができる。ここで、集合｛ｋ｝は、表３の値であることができる。
【０１１８】
図２は、一実施例の一態様によるＴＤＤを運用するシステムを示す概念図である。
【０１１９】
図２を参照すれば、基地局２０１でダウンリンクサブフレーム２０７として運用される時区間で、基地局２０１と隣接する基地局２０２は、ダウンリンクデータを伝送することができる。基地局２０２は、ダウンリンクトラフィック量が増加するにつれて、ダウンリンク資源を増加するために動的サブフレームを運用することを決定することができる。また、基地局２０１でアップリンクサブフレーム２０８として運用される時区間で、基地局２０２は、動的サブフレームを運用することができる。すなわち、基地局２０２は、基地局２０１のアップリンクサブフレーム２０８とは異なって、動的サブフレームを利用してダウンリンクデータを伝送することができる。
【０１２０】
基地局２０１のアップリンクサブフレーム２０８では、基地局２０２の動的サブフレーム運用によってシステム内にアップリンク及びダウンリンクが同時に運用されるフレームに属する少なくとも一部の時区間が存在することができる。このように、一態様によるＴＤＤシステムは、資源をさらに効率的に運用するために、アップリンク及び／またはダウンリンクのデータ量またはトラフィックを考慮して動的サブフレームを運用することができる。
【０１２１】
以下、図５及び図６を参照して動的サブフレームについてさらに詳しく説明する。
【０１２２】
ＴＤＤシステムが特定基地局のアップリンク及び／またはダウンリンク資源の量を変更するために当該システムに属する特定基地局と隣接する基地局を含む複数の基地局のＴＤＤ構成を一緒に変更する場合、システム全体の伝送効率が考慮されにくいことがある。一態様によるＴＤＤを支援するシステム、基地局及び／または端末は、システムの複数のセルのＴＤＤ構成に影響を低減しながら、特定セルでアップ・ダウンリンクのデータ要求容量によって動的にＴＤＤ構成を変更する方式を支援することができる。候補（ｃａｎｄｉｄａｔｅ）サブフレームは、動的サブフレームとして運用されることができるサブフレームであって、アップリンク時区間及びダウンリンク時区間のうち少なくとも１つとして選択的に運用されることができる時区間であることができる。動的（ｆｌｅｘｉｂｌｅ）サブフレーム（以下、”ＦｌｅｘＳＦ”という）は、候補サブフレームのうち、ダウンリンク時区間として活性化された（ａｃｔｉｖａｔｅｄ）時区間であることができる。
【０１２３】
図５は、一実施例の一態様によるＴＤＤシステムの時間軸での資源運用に対する概念図である。図５で、”Ｄ”は、ダウンリンク時区間５０１、５０４、５０６を示し、”Ｕ”は、アップリンク時区間５０３を示し、”Ｆ”は、少なくとも１つのＦｌｅｘＳＦを含む時区間５０５であることができる。また、ダウンリンク時区間からアップリンク時区間に切り替えられる時点で保護区間５０２が位置することができる。ＦｌｅｘＳＦは、次のいくつかの事項を考慮して識別されるか、決定されたものであることができる。動的サブフレームとして運用されることができる候補サブフレームは、一例として、表１のようなあらかじめ定められたＴＤＤ構成でアップリンクサブフレームとして運用されるサブフレームであることができる。すなわち、候補サブフレームは、動的サブフレームとして運用されない場合、アップリンク時区間として運用されることができる。端末は、ダウンリンクで伝送される基準信号を利用してチャネル情報を検出することができる。基準（ｒｅｆｅｒｅｎｃｅ）信号は、基地局からあらかじめ約束された時区間でまたは周期的に伝送される信号であることができる。特定ダウンリンクサブフレームがアップリンクサブフレームに変更されるか、または他の目的で運用される場合、端末のダウンリングクチャネル推定が難しいか、またはチャネル推定の正確度が低くなることができる。また、ダウンリンクサブフレームでアップリンク及び／またはダウンリンクスケジューリング情報、または制御情報などを伝送するシステムの場合、動的サブフレームを支援する端末ではない既存（ｌｅｇａｃｙ）端末は、ダウンリンクサブフレームがアップリンクサブフレームとして運用される場合、誤動作が発生するか、または遅延が発生することができる。したがって、ＦｌｅｘＳＦは、アップリンクサブフレームまたはアップリンク時区間のうち少なくとも一部の時区間で割り当てられることができる。例えば、第１フレームに属するアップリンク時区間５０３の少なくとも一部が第２フレームに属する動的サブフレーム５０５として運用されることができる。この際、基地局は、アップリンク時区間５０３でＦｌｅｘＳＦとして運用可能なサブフレームを格納部に維持し、アップリンク及び／またはダウンリンクトラフィックの状態によってＦｌｅｘＳＦを運用することができる。
【０１２４】
また、一態様によるＴＤＤを支援するシステム、基地局及び／または端末は、ＦｌｅｘＳＦを支援しながら、ＦｌｅｘＳＦを認知しない既存の端末の性能が劣化するか、または誤動作が発生しないようにする方案を提供することができる。
【０１２５】
ＦｌｅｘＳＦ  ５０５は、第１フレームでアップリンクとして運用された時区間が第１フレーム以後に第２フレームでダウンリンク時区間として運用される時区間であることができる。もし、アップリンク時区間５０３の開始から中間時点の間にＦｌｅｘＳＦが位置する場合、追加にアップリンク及びダウンリンク間の保護区間が必要なことがある。したがって、保護区間が追加されないように、ＦｌｅｘＳＦ  ５０５は、ＦｌｅｘＳＦ  ５０５の終了時点がアップリンク時区間５０３の終了時点と一致する位置、すなわちダウンリンク時区間５０６のすぐ以前のアップリンク領域に割り当てられることができる。例えば、ＦｌｅｘＳＦ  ５０５がｎ−番目のサブフレームの場合、ｎ＋１番目のサブフレームは、ダウンリンクサブフレームであることができる。
【０１２６】
図６は、一実施例の一態様によるＴＤＤシステムの時間軸での資源運用に対する概念図である。
【０１２７】
フレーム６０１は、ＦｌｅｘＳＦが運用されない場合、一例として表１のＴＤＤ構成３を示すものである。例えば、前述したように、フレーム６０１でアップリンク時区間のうち、ダウンリンク時区間と隣接するサブフレームインデックス４が候補サブフレームであることができ、フレーム６０２に属するＦｌｅｘＳＦ  ６０９は、インデックスが４のサブフレームであることができる。また、複数個のＦｌｅｘＳＦを含むフレーム６０３及びフレーム６０４で、複数個のＦｌｅｘ  ＳＦは、特別サブフレームＳとダウンリンクサブフレームＤとの間に時間軸上で連続的に隣接するサブフレームであることができる。例えば、サブフレーム６１０がＦｌｅｘＳＦの場合、サブフレーム６１０以後にサブフレーム６１０と隣接するアップリンクサブフレーム６１１は、ＦｌｅｘＳＦであることができる。具現によって、基地局が端末にサブフレーム６１０がＦｌｅｘＳＦであることを通知するか、または端末がサブフレーム６１０がＦｌｅｘＳＦであることを識別することができる場合、別途の情報及び／またはシグナリングなしにサブフレーム６１１がＦｌｅｘＳＦとして運用されることが分かる。このように、フレームで動的サブフレームが特別サブフレームとｎ＋１番目のサブフレーム−ここで、ｎ＋１番目のサブフレームは、前記特別サブフレーム以後に最も早いダウンリンク時区間である−との間にｎ番目のサブフレームを含んで整数（ｉｎｔｅｇｅｒ）であるｐ個が存在する場合、ｐ個の動的サブフレームは、ｎ−ｐ＋１番目のサブフレームからｎ番目までの時間軸上で隣接するサブフレームであることができる。
【０１２８】
また、フレーム６０５のように、フレームが時間軸で離隔された少なくとも２個のアップリンク時区間を含む場合、フレーム６０６、フレーム６０７またはフレーム６０８でそれぞれのアップリンク時区間は、少なくとも１つのＦｌｅｘＳＦを含くんでもよく、または含まなくてもよい。例えば、フレーム６０８で２つの連続的に隣接するＦｌｅｘＳＦは、２回配列されることができる。すなわち、フレームに２つの特別サブフレームが存在する場合、２つの連続的なＦｌｅｘＳＦが存在することができる。
【０１２９】
図３は、一実施例の一態様によるＴＤＤを支援する基地局の例示図である。
【０１３０】
図３の基地局は、制御部３０１及び／または送受信部３１２を含むことができる。ここで、送受信部３１２は、送信部（図示せず）及び／または受信部（図示せず）を含むことができる。
【０１３１】
送信部及び／または受信部は、送受信部３１２のように１つのハードウェアモジュールとして具現されることができる。また、送信部及び／または受信部は、機能上、それぞれ区分されるハードウェアモジュール、ソフトウェアモジュールまたはハードウェアとソフトウェアの結合形態であってもよいい。送受信部３１２は、ＲＦ回路及び／またはアンテナを含むことができる。
【０１３２】
また、基地局は、ダウンリンクスケジューリング情報生成部３０３、ＰＵＣＣＨデコーダー３０６、ＰＵＳＣＨデコーダー、時分割多重化器／逆多重化器（Ｔｉｍｅ  Ｄｉｖｉｓｉｏｎ  Ｍｕｌｔｉｐｌｅｘｅｒ／Ｄｅｍｕｌｔｉｐｌｅｘｅｒ、以下、“ＴＤＭ”という）３１１、Ｘ２メッセージエンコーダー３０９及び／またはＸ２メッセージデコーダー３１０をさらに含むことができる。
【０１３３】
送受信部３１２に含まれた受信部は、第１フレームのｎ番目（ｎ−ｔｈ）のサブフレームで端末から伝送されたアップリンクデータを受信することができる。ここで、ｎは、整数（ｉｎｔｅｇｅｒ）である。送受信部３１２に含まれた送信部は、第１フレーム以後に第２フレームのｎ番目のサブフレームで端末にダウンリンクデータを伝送することができる。制御部３０１は、ｎ番目のサブフレーム及び／または動的（ｆｌｅｘｉｂｌｅ）サブフレームを識別することができる。ここで、前記ｎ番目のサブフレームは、アップリンク時区間及びダウンリンク時区間のうち少なくとも１つとして選択的に運用されることができる時区間であることができる。すなわち、前記ｎ番目のサブフレームは、ＦｌｅｘＳＦとして運用されることができる候補サブフレームであることができる。第１フレームのｎ番目のサブフレームは、アップリンク時区間であり、第２フレームのｎ番目のサブフレームは、選択的に運用されることができる時区間（すなわち、候補サブフレーム）のうちダウンリンク時区間として活性化された（ａｃｔｉｖａｔｅｄ）時区間を示す動的サブフレームであることができる。すなわち、前記ｎ番目のサブフレームは、動的サブフレームとして運用されない場合、アップリンク時区間として運用されることができる。
【０１３４】
また、前記ｎ番目のサブフレームと隣接するｎ＋１番目（（ｎ＋１）−ｔｈ）のサブフレームは、ダウンリンク時区間であることができる。第１フレームは、特別サブフレームを含むことができる。
【０１３５】
前記ｎ＋１番目のサブフレームは、特別サブフレーム以後に最も早いダウンリンク時区間であることができる。また、第２フレームで動的サブフレームが特別サブフレームとｎ＋１番目のサブフレームとの間にｎ番目のサブフレームを含んで整数（ｉｎｔｅｇｅｒ）であるｐ個が存在する場合、ｐ個の動的サブフレームは、ｎ−ｐ＋１番目のサブフレームからｎ番目までの時間軸上で隣接するサブフレームであることができる。例えば、ｎは、図６のフレーム６０３で動的サブフレーム６１０、６１１が少なくとも１つ運用される場合、連続的に隣接する動的サブフレームのうち時間軸で最も遅いサブフレーム６１１に対するインデックスを示すことができる。
【０１３６】
また、基地局は、メモリ３２０をさらに含むことができる。メモリ３２０は、アップリンク時区間で端末から伝送されたアップリンクデータに対するＨＡＲＱ（Ｈｙｂｒｉｄ  Ａｕｔｏｍａｔｉｃ  Ｒｅｐｅａｔ  ｒｅＱｕｅｓｔ）が支援される場合、動的サブフレームの配列（ａｒｒａｎｇｅｍｅｎｔ）に対する構成情報（ｃｏｎｆｉｇｕｒａｔｉｏｎ  ｉｎｆｏｒｍａｔｉｏｎ）に基づいて端末のアップリンクデータ伝送に相当するＨＡＲＱ応答を伝送する時点を示す情報を維持することができる。また、メモリ３２０は、ダウンリンク時区間で端末に伝送するダウンリンクデータに対するＨＡＲＱが支援される場合、動的サブフレームの配列に対する構成情報に基づいて端末のＨＡＲＱ応答に相当するダウンリンクデータの伝送時点を示す情報を維持することができる。制御部３０１は、端末のアップリンクデータ伝送に相当するＨＡＲＱ応答を伝送する時点、及び／または端末のＨＡＲＱ応答に相当するダウンリンクデータの伝送時点に関する情報をメモリ３２０からアクセスすることができる。制御部３０１は、メモリ３２０からアクセスした情報を利用してＰＵＳＣＨデコーダー３０７から受信したアップリンクデータに相当するＨＡＲＱ応答を伝送する時点及び／またはダウンリンクデータの伝送時点を制御することができる。すなわち、制御部３０１は、メモリ３２０からアクセスした情報によってＨＡＲＱ応答（一例として、ＰＨＩＣＨ）が伝送されるようにＰＨＩＣＨエンコーダー３０４、ＴＤＭ  ３１１及び／または送受信部３１２に含まれた送信部を制御することができる。また、制御部３０１は、メモリ３２０からアクセスした情報によってダウンリンクデータ（一例として、ＰＤＳＣＨ）が伝送されるようにＰＤＳＣＨエンコーダー３０５、ＴＤＭ３１１及び／または送受信部３１２に含まれた送信部を制御することができる。
【０１３７】
ここで、ＴＤＭ  ３１１は、ＰＨＩＣＨエンコーダー３０４、ＰＤＣＣＨエンコーダー３０８及び／またはＰＤＳＣＨエンコーダー３０５などを用いて生成されたデータまたは信号を時分割多重化することができる。また、ＴＤＭ  ３１１は、送受信部３１２から受信されたＰＵＣＣＨ（Ｐｈｙｓｉｃａｌ  Ｕｐｌｉｎｋ  Ｃｏｎｔｒｏｌ  ＣＨａｎｎｅｌ）及び／またはＰＵＳＣＨを逆多重化することができる。ここで、ＰＵＣＣＨは、一例として、端末のＨＡＲＱ応答を含むことができる。
【０１３８】
また、送受信部３１２に含まれた送信部は、動的サブフレームが運用されることができることを示す情報を含むシステム情報を端末に伝送することができる。制御部３０１は、第２フレームのｎ番目のサブフレームが動的サブフレームとして活性化されるように、第２フレームのｎ番目のサブフレームに対するアップリンクスケジューリング情報の伝送が排除されるように制御することができる。この際、制御部３０１は、アップリンクスケジューリング情報生成部３０２、ＴＤＭ  ３１１及び／またはＰＤＣＣＨエンコーダー３０８を制御することもできる。また、前記ｎ番目のサブフレームを含んで動的サブフレームとして運用されることができるサブフレームの配列に対する構成情報は、基地局及び端末であらかじめ約束されたものであることができる。
【０１３９】
また、制御部３０１は、第２フレーム以後に第３フレームの前記ｎ番目のサブフレームが動的サブフレームから解除され（ｂｅｉｎｇ  ｒｅｌｅａｓｅｄ  ｆｒｏｍ）、アップリンク時区間になるように、第３フレームの前記ｎ番目のサブフレームに対するアップリンクスケジューリング情報が伝送されるように制御することができる。すなわち、動的サブフレームとして運用されるサブフレームに対するアップリンクスケジューリング情報が伝送される場合、動的サブフレームから解除され、アップリンク時区間になることができる。
【０１４０】
また、制御部３０１は、ｎ−ｐ＋１番目のサブフレームから前記ｎ番目のサブフレームまでの時間軸上で連続的に隣接するｐ個のサブフレームそれぞれが動的サブフレームとして活性化されるように、第２フレームのｎ−ｐ＋１番目のサブフレームに対するアップリンクスケジューリング情報の伝送が排除されるように制御することができる。
【０１４１】
送信部は、ＲＲＣ（Ｒａｄｉｏ  Ｒｅｓｏｕｒｃｅ  Ｃｏｎｔｒｏｌ）シグナリングを利用して動的サブフレームとして運用されることができるサブフレームの配列に対する構成情報を端末に伝送することができる。制御部３０１は、第２フレームのｎ番目のサブフレームが動的サブフレームとして活性化されるように、第２フレームのｎ番目のサブフレームに対するアップリンクスケジューリング情報の伝送が排除されるように制御することができる。また、制御部は、第２フレーム以後に第３フレームのｎ番目のサブフレームが動的サブフレームから解除され（ｂｅｉｎｇ  ｒｅｌｅａｓｅｄ  ｆｒｏｍ）、アップリンク時区間になるように、第３フレームのｎ番目のサブフレームに対するアップリンクスケジューリング情報が伝送されるように制御することができる。また、制御部３０１は、第２フレーム以後に第３フレームのｎ番目のサブフレームがアップリンク時区間になるように、ＲＲＣシグナリングを利用して動的サブフレームを解除することもできる。
【０１４２】
他の態様によって、第１フレームのｎ−１番目のサブフレームが前記ｎ番目のサブフレームと隣接する特別サブフレーム−特別サブフレームは、時間軸上で一部のダウンリンク時区間、保護時区間及び一部のアップリンク時区間を含む−であることができる。この際、第１フレームのｎ−１番目のサブフレームとｎ−１番目のサブフレーム以後に最も早いダウンリンクサブフレームとの間に整数（ｉｎｔｅｇｅｒ）であるｑ個のアップリンクサブフレームが存在する場合、第２フレームのｎ−１番目のサブフレームからｎ＋ｑ−１番目のサブフレームまでの隣接するｑ＋１個のサブフレームが動的サブフレームとして運用されることができる。ここで、第２フレームのｎ−１番目のサブフレームは、ダウンリンク帯域（ｆｒｅｑｕｅｎｃｙ  ｒｅｇｉｏｎ）の少なくとも一部の帯域及びｎ−１番目のサブフレームの全体時区間を占有し、端末にダウンリンクデータを伝送可能な時区間であることができる。例えば、図１７のフレーム１７０１で、ｎは、動的サブフレーム（インデックス６、７、８のサブフレーム）が少なくとも１つ運用される場合、連続的に隣接する動的サブフレームのうち時間軸で最も早いアップリンクサブフレーム（インデックス７のサブフレーム）に対するインデックスを示すことができる。
【０１４３】
制御部３０１は、スケジューラ（図示せず）をさらに含むことができる。制御部３０１に含まれたスケジューラは、アップリンク及び／またはダウンリンクスケジューリング情報をアップリンクスケジューリング情報生成部３０２及び／またはダウンリンクスケジューリング情報生成部３０３に伝送することができる。制御部３０１は、伝送を中止するアップリンク及び／またはダウンリンクサブフレームに関する情報を含むブランキングマスク（ｂｌａｎｋｉｎｇ  ｍａｓｋ）信号が図３の基地局と隣接する基地局に伝送されるようにＸ２メッセージエンコーダー３０９を制御することができる。また、制御部３０１は、隣接する基地局からブランキングマスク信号が受信されるようにＸ２メッセージデコーダー３１０を制御することができる。Ｘ２メッセージは、基地局間に送受信されるメッセージを示し、Ｘ２インターフェースを介してブランキングマスク信号を含むＸ２メッセージが送受信されることができる。制御部３０１は、運用可能な動的サブフレームのうち伝送を中止するアップリンク（またはダウンリンク）サブフレームに属するサブフレームを動的サブフレームとして決定することができる。
【０１４４】
また、制御部３０１は、図３の基地局と隣接する基地局で干渉を受ける周波数帯域情報を示すオーバーロード指示子（ｏｖｅｒｌｏａｄ  ｉｎｄｉｃａｔｏｒ）が隣接する基地局から受信されるように制御し、隣接する基地局で干渉を与えることができる周波数帯域情報を示す干渉指示子（ｉｎｔｅｒｆｅｒｅｎｃｅ  ｉｎｄｉｃａｔｏｒ）が隣接する基地局から受信されるように制御することができる。この際、制御部３０１は、オーバーロード指示子及び干渉指示子のうち少なくとも１つに基づいて動的サブフレームとして運用される時区間で相対的に干渉が多い周波数帯域より干渉が少ない周波数帯域に優先的にダウンリンクデータをスケジューリングすることができる。また、オーバーロード指示子及び／または干渉指示子は、Ｘ２メッセージエンコーダー３０９及び／またはＸ２メッセージデコーダー３１０を用いて送受信されることができる。
【０１４５】
図４は、一実施例の一態様によるＴＤＤを支援する端末の例示図である。
【０１４６】
図４の端末は、制御部４０１及び／または送受信部４１２を含むことができる。ここで、送受信部４１２は、送信部（図示せず）及び／または受信部（図示せず）を含むことができる。送信部及び／または受信部は、送受信部４１２のように１つのハードウェアモジュールとして具現されることができる。また、送信部及び／または受信部は、機能的にそれぞれ区分されるハードウェアモジュール、ソフトウェアモジュールまたはハードウェアとソフトウェアの結合形態であってもよい。送受信部４１２は、ＲＦ回路及び／またはアンテナを含むことができる。
【０１４７】
また、端末は、ＰＨＩＣＨデコーダー４０４、ＰＤＣＣＨデコーダー４０８、ＰＤＳＣＨデコーダー４０５、ＰＵＣＣＨエンコーダー４０６、ＰＵＳＣＨエンコーダー４０７及び／またはＴＤＭ４１１をさらに含むことができる。
【０１４８】
送受信部４１２に含まれた送信部は、第１フレームのｎ番目（ｎ−ｔｈ）のサブフレームで基地局にアップリンクデータを伝送することができる。ここで、ｎは、整数（ｉｎｔｅｇｅｒ）である。送受信部４１２に含まれた受信部は、第１フレーム以後に第２フレームのｎ番目のサブフレームで基地局から伝送されたダウンリンクデータを受信することができる。制御部４０１は、ｎ番目のサブフレーム及び／または動的（ｆｌｅｘｉｂｌｅ）サブフレームを識別することができる。ここで、前記ｎ番目のサブフレームは、アップリンク時区間及びダウンリンク時区間のうち少なくとも１つとして選択的に運用されることができる時区間であることができる。すなわち、前記ｎ番目のサブフレームは、ＦｌｅｘＳＦとして運用されることができる候補サブフレームであることができる。第１フレームのｎ番目のサブフレームは、アップリンク時区間であり、第２フレームのｎ番目のサブフレームは、選択的に運用されることができる時区間（すなわち、候補サブフレーム）のうちダウンリンク時区間として活性化された（ａｃｔｉｖａｔｅｄ）時区間を示す動的サブフレームであることができる。すなわち、前記ｎ番目のサブフレームは、動的サブフレームとして運用されない場合、アップリンク時区間として運用されることができる。
【０１４９】
また、前記ｎ番目のサブフレームと隣接するｎ＋１番目（（ｎ＋１）−ｔｈ）サブフレームは、ダウンリンク時区間であることができる。第１フレームは、特別サブフレームを含むことができる。前記ｎ＋１番目のサブフレームは、特別サブフレーム以後に最も早いダウンリンク時区間であることができる。また、第２フレームで動的サブフレームが特別サブフレームとｎ＋１番目のサブフレームとの間にｎ番目のサブフレームを含んで整数（ｉｎｔｅｇｅｒ）であるｐ個が存在する場合、ｐ個の動的サブフレームは、ｎ−ｐ＋１番目のサブフレームからｎ番目までの時間軸上で隣接するサブフレームであることができる。
【０１５０】
また、端末は、メモリ４２０をさらに含むことができる。メモリ４２０は、アップリンク時区間で基地局に伝送されるアップリンクデータに対するＨＡＲＱが支援される場合、前記動的サブフレームの配列に対する構成情報に基づいて基地局のＨＡＲＱ応答及び再伝送スケジューリング情報のうち少なくとも１つに相当するアップリンクデータを伝送する時点を示す情報を維持することができる。制御部４０１は、基地局のＨＡＲＱ応答及び再伝送スケジューリング情報のうち少なくとも１つに相当するアップリンクデータを伝送する時点に関する情報をメモリ４２０からアクセスすることができる。制御部４０１は、メモリ４２０からアクセスした情報を利用してＰＨＩＣＨデコーダー４０４から受信した基地局のＨＡＲＱ応答及び／またはＰＤＣＣＨデコーダー４０８から受信した再伝送（または伝送）スケジューリング情報に相当するアップリンクデータ（一例として、ＰＵＳＣＨ）を伝送する時点を制御することができる。すなわち、制御部４０１は、メモリ４２０からアクセスした情報によってＰＵＳＣＨが伝送されるようにＰＵＳＣＨエンコーダー４０７、ＴＤＭ  ４１１及び／または送受信部４１２に含まれた送信部を制御することができる。ＰＵＣＣＨエンコーダー４０７は、基地局のダウンリンクデータに相当するＨＡＲＱ応答を含むＰＵＣＣＨをエンコードすることができる。
【０１５１】
また、送受信部４１２に含まれた送信部は、動的サブフレームが運用されることができることを示す情報を含むシステム情報を基地局から受信することができる。制御部４０１は、第２フレームのｎ番目のサブフレームに対するアップリンクスケジューリング情報が基地局から受信されない場合、第２フレームのｎ番目のサブフレームで基地局から伝送されたダウンリンクデータが受信されるように制御することができる。また、前記ｎ番目のサブフレームを含んで動的サブフレームとして運用されることができるサブフレームの配列に対する構成情報は、基地局及び端末であらかじめ約束されたものであることができる。
【０１５２】
また、送受信部４１２に含まれた受信部は、第２フレーム以後に第３フレームのｎ番目のサブフレーム−ここで、第２フレームでｎ番目のサブフレームが動的サブフレームとして運用される−に対するアップリンクスケジューリング情報を受信することができる。この際、制御部４０１は、アップリンクスケジューリング情報の受信によって、動的サブフレームから解除され、アップリンクサブフレームとして運用されることを認知することができる。制御部４０１は、動的サブフレームから解除された第３フレームのｎ番目のサブフレームで、アップリンクスケジューリング情報に相当するアップリンクデータが基地局に伝送されるように制御することができる。
【０１５３】
また、制御部４０１は、第２フレームのｎ−ｐ＋１番目のサブフレームに対するアップリンクスケジューリング情報が基地局から受信されない場合、ｎ−ｐ＋１番目のサブフレームからｎ番目のサブフレームまでの時間軸上で連続的に隣接するｐ個のサブフレームそれぞれが動的サブフレームとして活性化されることを認知することができる。
【０１５４】
受信部は、ＲＲＣ（Ｒａｄｉｏ  Ｒｅｓｏｕｒｃｅ  Ｃｏｎｔｒｏｌ）シグナリングを利用して動的サブフレームとして運用されることができるサブフレームの配列に対する構成情報を基地局から受信することができる。制御部４０１は、第２フレームのｎ番目のサブフレームに対するアップリンクスケジューリング情報が基地局から受信されない場合、第２フレームのｎ番目のサブフレームで基地局からダウンリンクデータが受信されるように制御することができる。また、制御部は、第２フレーム以後に第３フレームのｎ番目のサブフレームがアップリンク時区間になるように、動的サブフレームから解除され（ｂｅｉｎｇ  ｒｅｌｅａｓｅｄ  ｆｒｏｍ）、アップリンク時区間になるように、第３フレームのｎ番目のサブフレームに対するアップリンクスケジューリング情報が伝送されるように制御することができる。また、ＲＲＣシグナリングを通じて動的サブフレームの解除に関する情報を受信した場合、制御部４０１は、第２フレーム以後に第３フレームのｎ番目のサブフレームがアップリンク時区間になるように動的サブフレームを解除することもできる。
【０１５５】
他の態様によって、第１フレームのｎ−１番目のサブフレームが前記ｎ番目のサブフレームと隣接する特別サブフレーム−特別サブフレームは、時間軸上で一部のダウンリンク時区間、保護時区間及び一部のアップリンク時区間を含む−であることができる。この際、第１フレームのｎ−１番目のサブフレームとｎ−１番目のサブフレーム以後に最も早いダウンリンクサブフレームとの間に整数（ｉｎｔｅｇｅｒ）であるｑ個のアップリンクサブフレームが存在する場合、第２フレームのｎ−１番目のサブフレームからｎ＋ｑ−１番目のサブフレームまでの隣接するｑ＋１個のサブフレームが動的サブフレームとして運用されることができる。ここで、第２フレームのｎ−１番目のサブフレームは、ダウンリンク帯域（ｆｒｅｑｕｅｎｃｙ  ｒｅｇｉｏｎ）の少なくとも一部の帯域及びｎ−１番目のサブフレームの全体時区間を占有し、端末にダウンリンクデータを伝送可能な時区間であることができる。
【０１５６】
以下、図７〜図９を参照して一実施例の一態様による動的サブフレームの運用について説明する。ＦｌｅｘＳＦを運用する方式は、アップリンクデータ伝送のためのアップリンク資源割り当て情報（またはアップリンクに対する伝送／再伝送スケジューリング情報）（以下、“ＵＬ  ｇｒａｎｔ”という）の伝送を利用した動的サブフレームの運用、ＲＲＣシグナリング及びＵＬ  ｇｒａｎｔを利用した動的サブフレームの運用またはＲＲＣシグナリングを利用した動的サブフレーム運用などを含むことができる。
【０１５７】
図７は、ＵＬ  ｇｒａｎｔを利用した動的サブフレームの運用を示す例示図である。フレーム７０１は、ＦｌｅｘＳＦが運用されない場合、ＴＤＤ構成３を有する２個のフレームでアップリンク関連スケジューリング情報及びデータの送受信関係を示す。基地局及び端末は、ＦｌｅｘＳＦが運用されない場合、フレーム７０１に示された送受信関係を利用してＰＤＣＣＨまたはＰＵＳＣＨなどを送受信することができる。また、一態様によるＦｌｅｘＳＦを支援しない既存の端末は、ＦｌｅｘＳＦが運用される場合にも、フレーム７０１として運用されるものと認識するか、またはＦｌｅｘＳＦの運用可否を知らないことがある。一態様によるＦｌｅｘＳＦを支援する新しい端末（一例として、３ＧＰＰ  Ｒｅｌｅａｓｅ（Ｒｅｌ．）１１端末）は、どのアップリンクサブフレームがＦｌｅｘＳＦとして運用される可能性があるかをあらかじめ把握することができる。すなわち、端末及び基地局は、動的サブフレームとして運用されることができる候補サブフレームの配列に対するグソングルルシステム規格によってあらかじめ約束し、メモリに維持することができる。
【０１５８】
基地局は、システム情報７０２を利用して当該セルにＦｌｅｘＳＦが運用されることができることに関する情報を端末に伝送することができる。既存の端末（一例として、３ＧＰＰ  Ｒｅｌｅａｓｅ（Ｒｅｌ．）１０以前の端末）は、システム情報７０２に含まれたＦｌｅｘＳＦが運用されることができることを示す情報をデコーディングすることができないか、または認知することができない。新しい端末は、ＦｌｅｘＳＦが運用されることができることを示す情報を認知し、ＦｌｅｘＳＦの運用可否を判断するために、候補サブフレームに対するアップリンクスケジューリング情報が伝送されるか否かをモニタリングすることができる。すなわち、基地局は、少なくとも１つの候補サブフレームのうち特定サブフレームがＦｌｅｘＳＦとして運用されることに関する情報を端末に伝送するために、特定サブフレームに対するＵＬ  ｇｒａｎｔの伝送可否を利用することができる。アップリンク伝送（一例として、ＰＵＳＣＨ）７０３は、ダウンリンクでＵＬ  ｇｒａｎｔ（一例として、ＰＤＣＣＨ）７０４の伝送可否によって決定されることができるので、基地局は、サブフレーム７０５をＦｌｅｘＳＦとして運用するためにサブフレーム７０５に対するアップリンク伝送を活性化可能なダウンリンクサブフレーム７０６でＵＬ  ｇｒａｎｔの伝送を排除することができる。新しい端末は、ＦｌｅｘＳＦとして運用されることができる候補サブフレームに対するＵＬ  ｇｒａｎｔが伝送されるサブフレーム７０６でＵＬ  ｇｒａｎｔが受信されない場合、サブフレーム７０５がＦｌｅｘＳＦとして活性化されることを認知し、サブフレーム７０５でダウンリンク受信モードで動作し、基地局で伝送されるデータを受信することができる。既存の端末は、サブフレーム７０６でＵＬ  ｇｒａｎｔがないので、サブフレーム７０５をアップリンクとして認知してもデータを伝送せず、基地局は、サブフレーム７０５でダウンリンクデータを伝送することができる。また、フレーム７０７のように、フレーム内に連続的に隣接するＦｌｅｘＳＦを運用可能な候補サブフレームが存在し、サブフレーム７０８でＵＬ  ｇｒａｎｔがない場合、サブフレーム７１０がＦｌｅｘＳＦとして運用され、サブフレーム７０９でＵＬ  ｇｒａｎｔの存在有無と関係なく、サブフレーム７１０と一緒にサブフレーム７１１もＦｌｅｘＳＦとして活性化（ａｃｔｉｖａｔｅｄ）されることができる。
【０１５９】
また、基地局は、動的サブフレームを不活性化するために、当該サブフレームに対する端末にＵＬ  ｇｒａｎｔを伝送することができる。例えば、フレーム７１２で先立ったフレームのサブフレーム＃０でＵＬ  ｇｒａｎｔを伝送することによって、サブフレーム＃４でＦｌｅｘＳＦが不活性化され、端末がＰＵＳＣＨを伝送することができる。
【０１６０】
また、新しい端末は、アップリンクでＰＲＡＣＨ（Ｐｈｙｓｉｃａｌ  Ｒａｎｄｏｍ  Ａｃｃｅｓｓ  ＣＨａｎｎｅｌ）またはＳＲＳ（Ｓｏｕｎｄｉｎｇ  Ｒｅｆｅｒｅｎｃｅ  Ｓｉｇｎａｌ）のように定期的に伝送しなければならない信号がある場合、ダウンリンクサブフレーム７１３でＵＬ  ｇｒａｎｔが存在しない場合にも、サブフレーム７１４をＦｌｅｘＳＦとして使用せず、ＦｌｅｘＳＦを不活性化し、ＰＲＡＣＨまたはＳＲＳなどのアップリンクチャネル伝送に使用することができる。このように、ＵＬ  ｇｒａｎｔを利用した動的サブフレーム運用は、付加的な情報なしに基地局のＵＬ  ｇｒａｎｔ存在有無によって端末がＦｌｅｘＳＦの活性化／不活性化可否を識別することができ、データトラフィック変化に迅速に対応することができる方案を提供することができる。
【０１６１】
図８は、ＲＲＣシグナリング及びＵＬ  ｇｒａｎｔを利用した動的サブフレームの運用を示す例示図である。基地局は、ＲＲＣシグナリング８０１を利用してＦｌｅｘＳＦを運用可能な候補サブフレームの構成情報及び／またはＦｌｅｘＳＦが運用されることができることを示す情報を端末に伝送することができる。また、基地局は、ＵＬ  ｇｒａｎｔを利用して候補サブフレームをＦｌｅｘＳＦとして活性化することができる。図７で、ＦｌｅｘＳＦが運用されることができることを示す情報を含むシステム情報を利用する方式の場合、ＦｌｅｘＳＦとして運用されることができる候補サブフレームに対する構成情報が基地局と端末との間にあらかじめ約束されているが、図８のＲＲＣシグナリング及びＵＬ  ｇｒａｎｔを利用する方式の場合、基地局がＲＲＣシグナリング８０１を通じて候補サブフレームに関する情報を端末に伝送することによって、候補サブフレームに対する構成情報を変更することができる。
【０１６２】
また、図７で、特定時点にＰＲＡＣＨまたはＳＲＳの伝送が割り当てられる場合、ＰＲＡＣＨまたはＳＲＳの伝送が割り当てられたサブフレームは、ＦｌｅｘＳＦとして運用されることができないが、図８で、セルまたは基地局は、ＲＲＣシグナリング８０１を利用してサブフレームに関する情報を調整することによって、ＰＲＡＣＨまたはＳＲＳのアップリンク伝送とＦｌｅｘＳＦ運用の衝突を回避することができる。ＲＲＣシグナリング８０１を伝送した後、候補サブフレームに対してＦｌｅｘＳＦとして活性化するか否かは、ＵＬ  ｇｒａｎｔによる識別可能である。ＵＬ  ｇｒａｎｔによる動作は、前述したので、説明を省略する。
【０１６３】
図９は、ＲＲＣシグナリングを利用した動的サブフレームの運用を示す例示図である。図９で、ＲＲＣシグナリング９０１を利用する方式は、セルまたは基地局が新しい端末にＲＲＣシグナリング９０１を利用して運用されるＦｌｅｘＳＦの構成情報を伝送することができる。ＦｌｅｘＳＦの構成情報が受信された端末は、当該サブフレームに対するＵＬ  ｇｒａｎｔの存在有無９０２と関係なく、ＦｌｅｘＳＦの構成情報に相当するサブフレームをダウンリンク時区間９０３として使用することができる。ＦｌｅｘＳＦの運用を中断する場合、基地局は、ＲＲＣシグナリング９０４を利用して端末が当該サブフレームをＦｌｅｘＳＦから解除するように制御することができる。ＵＬ  ｇｒａｎｔの受信可否と関係なくＲＲＣシグナリングを利用する方式の場合、ＲＲＣシグナリングを利用するので、ＵＬ  ｇｒａｎｔ受信エラーによる問題を防止することができる。
【０１６４】
以下、図１０〜図１７を参照して一実施例の一態様によるＨＡＲＱ時間関係について説明する。すなわち、ＦｌｅｘＳＦの運用によって基地局及び／または端末で識別しなければならないＨＡＲＱ関連データ及び／または信号の送受信時間関係に関する情報が提供される。ＨＡＲＱ時間関係は、ＦｌｅｘＳＦの運用による基地局のＨＡＲＱ応答または再伝送スケジューリング情報に対するＰＵＳＣＨ伝送時点、ＰＵＳＣＨ伝送に対する基地局のＨＡＲＱ応答時点及び／または端末のＨＡＲＱ応答に対する基地局のデータ伝送時点を含むことができる。ＦｌｅｘＳＦを支援する基地局及び／または端末は、ＨＡＲＱ時間関係に関する情報をメモリに維持し、ＴＤＤ構成及び／またはＦｌｅｘＳＦの運用可否によってメモリをアクセスし、ＨＡＲＱ関連データ及び／または信号の送受信時間を制御するか、または識別することができる。また、ＦｌｅｘＳＦを支援する基地局及び／または端末は、ＨＡＲＱ時間関係に関する情報を関数または数式などを利用して算出することもできる。
【０１６５】
図１０〜図１４は、サブフレーム単位で動的サブフレームが運用可能なＴＤＤ構成のＨＡＲＱ時間関係を示す例示図である。
【０１６６】
図１０は、ＴＤＤ構成（ｃｏｎｆｉｇｕｒａｔｉｏｎ）３でサブフレーム単位で動的サブフレームが運用可能なＨＡＲＱ時間関係を示す例示図である。フレーム１００１は、ＦｌｅｘＳＦが運用されない場合、基地局及び／または端末（新しい端末または既存端末）で識別される情報であって、またはＦｌｅｘＳＦが運用される場合ＦｌｅｘＳＦを支援しない端末で識別される情報とし、ＨＡＲＱ時間関係を示すものであることができる。フレーム１００２は、ＦｌｅｘＳＦを支援する基地局及び／または新しい端末で識別されるＨＡＲＱ時間関係を示すものであることができる。１つのアップリンクサブフレームがＦｌｅｘＳＦとして運用されれば、既存の端末には、当該アップリンクサブフレームにＵＬ  ｇｒａｎｔが伝送されないので、アップリンクＨＡＲＱプロセスは、使用しなくてもよい。これにより、フレーム１００１のように４番目のサブフレームがＦｌｅｘＳＦとして運用されても、既存の端末は、アップリンク伝送をしないので、ＦｌｅｘＳＦの運用有無と関係なく、エラーなしに動作可能である。フレーム１００２で新しい端末は、アップリンクサブフレームで既存の端末と同一に動作するが、ＦｌｅｘＳＦが運用され、ダウンリンク伝送可能なサブフレームが増加した場合ダウンリンクに対する伝送及び／またはＨＡＲＱ時間関係は、フレーム１００２に示されたように変更されることができる。ＨＡＲＱ時間関係は、下記表５、表６及び／または表７を含むことができる。
【０１６７】
【表５】
2014514797.tif 000007
【０１６８】
表５は、基地局のＨＡＲＱ応答または再伝送スケジューリング情報に対するＰＵＳＣＨ伝送時点ｉ−ｋを示すものであることができる。表５で、基地局のＨＡＲＱ応答（一例として、ＰＨＩＣＨ）または再伝送スケジューリング情報（一例として、ＰＤＣＣＨ）の伝送時点がｉ番目のサブフレームである場合、前記ｉ番目のサブフレームに相当する端末のデータ（一例として、ＰＵＳＣＨ）伝送時点は、ｉ−ｋ番目のサブフレームであることができる。ここで、ｋは、表５の値であることができる。ＴＤＤ構成の３−１ＦｌｅｘＳＦは、ＴＤＤ構成３のフレーム内の１個のＦｌｅｘＳＦが運用されることを示し、３−２ＦｌｅｘＳＦは、ＴＤＤ構成３のフレーム内の２個のＦｌｅｘＳＦが運用されることを示し、３−３ＦｌｅｓＳＦは、ＴＤＤ構成３のフレーム内の３個のＦｌｅｘＳＦが運用されることを示すことができる。ＮＡは、ＦｌｅｘＳＦの運用によって当該値が使用されないことを意味することができる。
【０１６９】
【表６】
2014514797.tif 000008
【０１７０】
表６は、ＰＵＳＣＨ伝送に対する基地局のＨＡＲＱ応答時点ｎ＋ｊを示すものであることができる。表６で、端末のデータ（一例として、ＰＵＳＣＨ）の伝送／再伝送時点がｎ番目のサブフレームである場合、基地局のＨＡＲＱ応答時点は、ｎ＋ｊ番目のサブフレームであることができる。ここで、ｊは、表６の値であることができる。また、表６で、”Ｆ”は、ＴＤＤ構成３でアップリンクサブフレームとして運用されたサブフレームインデックスであって、当該サブフレームがＦｌｅｘＳＦとして運用されることによってＰＵＳＣＨが伝送されないことを示すことができる。
【０１７１】
【表７】
2014514797.tif 000009
【０１７２】
表７は、端末のＨＡＲＱ応答に対する基地局のデータ伝送時点ｍ−｛ｋ｝であることができる。表７で、端末のＨＡＲＱ応答時点がｍである場合、基地局のダウンリンクデータ伝送時点及び／またはダウンリンクスケジューリング情報伝送時点は、ｍ−｛ｋ｝であることができる。ここで、集合｛ｋ｝は、表７の値であることができる。
【０１７３】
図１１は、ＴＤＤ構成４でサブフレーム単位で動的サブフレームが運用可能なＨＡＲＱ時間関係を示す例示図である。フレーム１１０１は、ＦｌｅｘＳＦが運用されない場合、基地局及び／または端末（新しい端末または既存の端末）で識別されるか、またはＦｌｅｘＳＦが運用される場合、ＦｌｅｘＳＦを支援しない端末で識別されるＨＡＲＱ時間関係を示すものであることができる。フレーム１１０２は、ＦｌｅｘＳＦを支援する基地局及び／または新しい端末で識別されるＨＡＲＱ時間関係を示すものであることができる。ＴＤＤ構成４でＦｌｅｘＳＦとして運用可能な候補サブフレームの個数が２個であることができる。サブフレーム１１０２でインデックス３のサブフレームがＦｌｅｘＳＦとして運用される場合、ダウンリンクに対する伝送及び／またはＨＡＲＱ時間関係は、フレーム１１０１のＴＤＤ構成４とは異なって、フレーム１１０２に示されたように決定されることができる。ＨＡＲＱ時間関係は、下記の表８、表９及び／または表１０を含むことができる。
【０１７４】
【表８】
2014514797.tif 000010
【０１７５】
表８は、基地局のＨＡＲＱ応答または再伝送スケジューリング情報に対するＰＵＳＣＨ伝送時点ｉ−ｋを示すものであることができる。表８で、基地局のＨＡＲＱ応答（一例として、ＰＨＩＣＨ）または再伝送スケジューリング情報（一例として、ＰＤＣＣＨ）の伝送時点がｉ番目のサブフレームである場合、前記ｉ番目のサブフレームに相当する端末のデータ（一例として、ＰＵＳＣＨ）伝送時点は、ｉ−ｋ番目のサブフレームであることができる。ここで、ｋは、表８の値であることができる。ＴＤＤ構成の４−１ＦｌｅｘＳＦは、ＴＤＤ構成４のフレーム内の１個のＦｌｅｘＳＦが運用されることを示し、４−２ＦｌｅｘＳＦは、ＴＤＤ構成４のフレーム内の２個のＦｌｅｘＳＦが運用されることを示すことができる。ＮＡは、ＦｌｅｘＳＦの運用によって当該値が使用されないことを意味することができる。
【０１７６】
【表９】
2014514797.tif 000011
【０１７７】
表９は、ＰＵＳＣＨ伝送に対する基地局のＨＡＲＱ応答時点ｎ＋ｊを示すものであることができる。表９で、端末のデータ（一例として、ＰＵＳＣＨ）の伝送／再伝送時点がｎ番目のサブフレームである場合、基地局のＨＡＲＱ応答時点は、ｎ＋ｊ番目のサブフレームであることができる。ここで、ｊは、表９の値であることができる。また、表９で、”Ｆ”は、ＰＵＳＣＨが伝送されないサブフレームを示すことができる。
【０１７８】
【表１０】
2014514797.tif 000012
【０１７９】
表１０は、端末のＨＡＲＱ応答に対する基地局のデータ伝送時点ｍ−｛ｋ｝を示すものであることができる。表１０で、端末のＨＡＲＱ応答時点がｍである場合、基地局のダウンリンクデータ伝送時点及び／またはダウンリンクスケジューリング情報伝送時点は、ｍ−｛ｋ｝であることができる。ここで、集合｛ｋ｝は、表１０の値であることができる。
【０１８０】
図１２は、ＴＤＤ構成５でサブフレーム単位で動的サブフレームが運用可能なＨＡＲＱ時間関係を示す例示図である。フレーム１２０１は、ＦｌｅｘＳＦが運用されない場合、基地局及び／または端末で識別されるか、またはＦｌｅｘＳＦが運用される場合、ＦｌｅｘＳＦを支援しない端末で識別されるＨＡＲＱ時間関係を示すものであることができる。フレーム１２０２は、ＦｌｅｘＳＦを支援する基地局及び／または新しい端末で識別されるＨＡＲＱ時間関係を示すものであることができる。ＴＤＤ構成５でＦｌｅｘＳＦとして運用可能な候補サブフレームの個数が１個であることができる。サブフレーム１２０２でインデックス３のサブフレームがＦｌｅｘＳＦとして運用される場合、ＦｌｅｘＳＦの運用による追加されたダウンリンク伝送時区間に対するＨＡＲＱ伝送時点に対する決定が追加されることができ、新しいＨＡＲＱ時間関係は、フレーム１１０２に示された通りである。ＴＤＤ構成５で１つのアップリンク時区間がＦｌｅｘＳＦとして運用される場合、アップリンクサブフレームなしに動的サブフレームに継続的に維持されるものではなく、アップリンクサブフレームに動的に変更されることができる。ＨＡＲＱ時間関係は、下記表１１、表１２及び／または表１３を含むことができる。
【０１８１】
【表１１】
2014514797.tif 000013
【０１８２】
表１１は、基地局のＨＡＲＱ応答または再伝送スケジューリング情報に対するＰＵＳＣＨ伝送時点ｉ−ｋを示すものであることができる。表１１で、基地局のＨＡＲＱ応答（一例として、ＰＨＩＣＨ）または再伝送スケジューリング情報（一例として、ＰＤＣＣＨ）の伝送時点がｉ番目のサブフレームの場合、前記ｉ番目のサブフレームに相当する端末のデータ（一例として、ＰＵＳＣＨ）伝  送時点は、ｉ−ｋ番目のサブフレームであることができる。ここで、ｋは、表１１の値であることができる。ＴＤＤ構成の５−１ＦｌｅｘＳＦは、ＴＤＤ構成５のフレーム内の１個のＦｌｅｘＳＦが運用されることを示すことができる。ＮＡは、ＦｌｅｘＳＦの運用によって当該値が使用されないことを意味することができる。
【０１８３】
【表１２】
2014514797.tif 000014
【０１８４】
表１２は、ＰＵＳＣＨ伝送に対する基地局のＨＡＲＱ応答時点ｎ＋ｊを示すものであることができる。表１２で、端末のデータ（一例として、ＰＵＳＣＨ）の伝送／再伝送時点がｎ番目のサブフレームである場合、基地局のＨＡＲＱ応答時点は、ｎ＋ｊ番目のサブフレームであることができる。ここで、ｊは、表１２の値であることができる。また、表１２で、”Ｆ”は、ＰＵＳＣＨが伝送されないサブフレームを示すことができる。
【０１８５】
【表１３】
2014514797.tif 000015
【０１８６】
表１３は、端末のＨＡＲＱ応答に対する基地局のデータ伝送時点ｍ−｛ｋ｝を示すものであることができる。表１３で、端末のＨＡＲＱ応答時点がｍである場合、基地局のダウンリンクデータ伝送時点及び／またはダウンリンクスケジューリング情報伝送時点は、ｍ−｛ｋ｝であることができる。ここで、集合｛ｋ｝は、表１３の値であることができる。
【０１８７】
図１３は、ＴＤＤ構成２でサブフレーム単位で動的サブフレームが運用可能なＨＡＲＱ時間関係を示す例示図である。フレーム１３０１は、ＦｌｅｘＳＦが運用されない場合、基地局及び／または端末で識別されるか、またはＦｌｅｘＳＦが運用される場合、ＦｌｅｘＳＦを支援しない端末で識別されるＨＡＲＱ時間関係を示すものであることができる。フレーム１３０２は、ＦｌｅｘＳＦを支援する基地局及び／または新しい端末で識別されるＨＡＲＱ時間関係を示すものであることができる。ＴＤＤ構成２は、１つのラジオフレーム（またはフレーム）に２つの連続しないアップリンクサブフレームを含むことができる。
【０１８８】
ＦｌｅｘＳＦが運用される場合、最大２個のＦｌｅｘＳＦが運用されることができ、時間軸で連続的に隣接するＦｌｅｘＳＦは、運用されなくてもよい。フレーム１３０２は、１個のＦｌｅｘＳＦが運用される場合、ＨＡＲＱ時間関係を示すものであることができる。ＨＡＲＱ時間関係は、下記表１４、表１５及び／または表１６を含むことができる。
【０１８９】
【表１４】
2014514797.tif 000016
【０１９０】
表１４は、基地局のＨＡＲＱ応答または再伝送スケジューリング情報に対するＰＵＳＣＨ伝送時点ｉ−ｋを示すものであることができる。表１４で、基地局のＨＡＲＱ応答（一例として、ＰＨＩＣＨ）または再伝送スケジューリング情報（一例として、ＰＤＣＣＨ）の伝送時点がｉ番目のサブフレームである場合、前記ｉ番目のサブフレームに相当する端末のデータ（一例として、ＰＵＳＣＨ）伝送時点は、ｉ−ｋ番目のサブフレームであることができる。ここで、ｋは、表１４の値であることができる。ＴＤＤ構成の２−１ｌｅｆｔｈａｌｆは、ＴＤＤ構成２のフレーム内の前半部に位置する１個のＦｌｅｘＳＦ（すなわち、サブフレームインデックス２）が運用されることを示し、２−１ｒｉｇｈｔｈａｌｆは、ＴＤＤ構成２のフレーム内の後半部に位置する１個のＦｌｅｘＳＦ（すなわち、サブフレームインデックス７）が運用されることを示すことができる。ＮＡは、ＦｌｅｘＳＦの運用によって当該値が使用されないことを意味することができる。
【０１９１】
【表１５】
2014514797.tif 000017
【０１９２】
表１５は、ＰＵＳＣＨ伝送に対する基地局のＨＡＲＱ応答時点ｎ＋ｊを示すものであることができる。表１５で、端末のデータ（一例として、ＰＵＳＣＨ）の伝送／再伝送時点がｎ番目のサブフレームである場合、基地局のＨＡＲＱ応答時点は、ｎ＋ｊ番目のサブフレームであることができる。ここで、ｊは、表１５の値であることができる。表１５の”Ｆ”は、ＰＵＳＣＨが伝送されないサブフレームを示すことができる。
【０１９３】
【表１６】
2014514797.tif 000018
【０１９４】
表１６は、端末のＨＡＲＱ応答に対する基地局のデータ伝送時点ｍ−｛ｋ｝を示すものであることができる。表１６で、端末のＨＡＲＱ応答時点がｍである場合、基地局のダウンリンクデータ伝送時点及び／またはダウンリンクスケジューリング情報伝送時点は、ｍ−｛ｋ｝であることができる。ここで、集合｛ｋ｝は、表１６の値であることができる。
【０１９５】
図１４は、ＴＤＤ構成１でサブフレーム単位で動的サブフレームの運用が可能なＨＡＲＱ時間関係を示す例示図である。フレーム１４０１は、ＦｌｅｘＳＦが運用されない場合、基地局及び／または端末で識別されるか、またはＦｌｅｘＳＦが運用される場合、ＦｌｅｘＳＦを支援しない端末で識別されるＨＡＲＱ時間関係を示すものであることができる。フレーム１４０２は、ＦｌｅｘＳＦを支援する基地局及び／または新しい端末で識別されるＨＡＲＱ時間関係を示すものであることができる。フレーム１４０２に示されたように、ＴＤＤ構成１で２個のサブフレームがＦｌｅｘＳＦとして運用されることができる。ＨＡＲＱ時間関係は、表１７、表１８及び／または表１９を含むことができる。
【０１９６】
【表１７】
2014514797.tif 000019
【０１９７】
表１７は、基地局のＨＡＲＱ応答または再伝送スケジューリング情報に対するＰＵＳＣＨ伝送時点ｉ−ｋを示すものであることができる。表１７で、基地局のＨＡＲＱ応答（一例として、ＰＨＩＣＨ）または再伝送スケジューリング情報（一例として、ＰＤＣＣＨ）の伝送時点がｉ番目のサブフレームである場合、前記ｉ番目のサブフレームに相当する端末のデータ（一例として、ＰＵＳＣＨ）伝送時点は、ｉ−ｋ番目のサブフレームであることができる。ここで、ｋは、表１７の値であることができる。ＴＤＤ構成の１−２ＦｌｅｘＳＦは、ＴＤＤ構成１のフレーム内の２個のＦｌｅｘＳＦ（すなわち、サブフレームインデックス３及びインデックス８）が運用されることを示すことができる。ＮＡは、ＦｌｅｘＳＦの運用によって当該値が使用されないことを意味することができる。
【０１９８】
【表１８】
2014514797.tif 000020
【０１９９】
表１８は、ＰＵＳＣＨ伝送に対する基地局のＨＡＲＱ応答時点ｎ＋ｊを示すものであることができる。表１８で、端末のデータ（一例として、ＰＵＳＣＨ）の伝送／再伝送時点がｎ番目のサブフレームである場合、基地局のＨＡＲＱ応答時点は、ｎ＋ｊ番目のサブフレームであることができる。ここで、ｊは、表１８の値であることができる。表１５の”Ｆ”は、ＰＵＳＣＨが伝送されないサブフレームを示すことができる。
【０２００】
【表１９】
2014514797.tif 000021
【０２０１】
表１９は、端末のＨＡＲＱ応答に対する基地局のデータ伝送時点ｍ−｛ｋ｝を示すものであることができる。表１９で、端末のＨＡＲＱ応答時点がｍである場合、基地局のダウンリンクデータ伝送時点及び／またはダウンリンクスケジューリング情報伝送時点は、ｍ−｛ｋ｝であることができる。ここで、集合｛ｋ｝は、表１９の値であることができる。
【０２０２】
図１５及び図１６は、ＨＡＲＱ  ＲＴＴ（Ｒｏｕｎｄ  Ｔｒｉｐ  Ｔｉｍｅ）関係単位で動的サブフレームの運用が可能なＴＤＤ構成のＨＡＲＱ時間関係を示す図である。
【０２０３】
ＴＤＤ構成６で１つのアップリンクインデックスは、１つのＨＡＲＱ送受信にのみ使用されるものではなく、ラジオフレームの時間軸上で進行されながら、他のアップリンクＨＡＲＱと関連することができる。すなわち、図１５に示されたように、ＴＤＤ構成６でのＨＡＲＱ時間関係は、６個のラジオフレームがＨＡＲＱ  ＲＴＴとして６個のラジオフレーム単位で開始位置に戻ることができる構造であることができる。したがって、１つのサブフレーム単位でＦｌｅｘＳＦが運用される前述した実施例とは異なって、１つのアップリンクＨＡＲＱプロセスに使用するアップリンクサブフレームのうち一例として、図５及び／または図６を通じて前述したＦｌｅｘＳＦを構成することができる条件に合致する一部のアップリンクがＦｌｅｘＳＦとして運用されることができる。図１６は、ＦｌｅｘＳＦ  １６０１を支援する基地局及び／または新しい端末で識別されるＨＡＲＱ時間関係を示すものであることができる。例えば、ラジオフレーム（ｉ＋３）１６０２は、以前ラジオフレーム（すなわち、ラジオフレーム（ｉ＋２））で１個のＦｌｅｘＳＦが運用されることによって伝送時点１６０３を使用することができる。ラジオフレーム（ｉ＋４）１６０４では、新しいＨＡＲＱ時間関係が定義されるので、ラジオフレーム（ｉ＋４）１６０４には、ラジオフレーム（ｉ＋３）１６０２で使用されたＨＡＲＱ時間関係が同一に適用されないことがある。
【０２０４】
また、ＨＡＲＱ  ＲＴＴ関係単位で動的サブフレームの運用が可能なＴＤＤ構成では、アップリンクサブフレームｍを基準にしてｍ−４以前のダウンリンクに対するＨＡＲＱ応答信号は、以前ＨＡＲＱ応答の伝送に使用されたダウンリンク伝送以後から伝送されることができる場合、前述した表５〜表１９のようにＨＡＲＱ時間関係が定義されることもできる。
【０２０５】
図１７は、半分（以下、Ｈａｌｆ）ラジオフレーム単位（またはラジオフレームの前半及び後半のうちいずれか１つに含まれた特別サブフレーム及びアップリンクサブフレームで構成された単位）に変更可能なＴＤＤ構成のＨＡＲＱ時間関係を示す例示図である。
【０２０６】
フレーム１７０１で１つのラジオフレームは、２個の特別サブフレームを含むことができる。ＦｌｅｘＳＦ  １７０３が運用される場合、フレーム１７０２では、フレーム１７０１のフレームの後半部に位置する特別サブフレームと、特別サブフレームから特別サブフレーム以後に最も早いダウンリンクサブフレームとの間に位置するアップリンクサブフレームがＦｌｅｘＳＦとして運用されることができる。すなわち、第１フレームのｎ番目のサブフレームがアップリンクサブフレームであり、ｎ−１番目のサブフレームがｎ番目のサブフレームと隣接する特別サブフレームであり、第１フレームのｎ−１番目のサブフレームとｎ−１番目のサブフレーム以後に最も早いダウンリンクサブフレームとの間に整数（ｉｎｔｅｇｅｒ）であるｑ個のアップリンクサブフレームが存在する場合、第１フレーム以後の第２フレームでｎ−１番目のサブフレームからｎ＋ｑ−１番目のサブフレームまでの隣接するｑ＋１個のサブフレームがＦｌｅｘＳＦとして運用されることができる。構成１でフレーム１７０２のようにＦｌｅｘＳＦが運用される場合、構成４のようにＨＡＲＱ時間関係が決定されることができる。すなわち、後半部の特別サブフレーム及びアップリンクサブフレーム（またはサブフレーム）が同時にダウンリンクサブフレームに変更される場合、他のあらかじめ定められたＴＤＤ構成のようにＨＡＲＱ関連信号及びデータが送受信動作されることができる。この際、基地局は、５ｍｓｅｃ間隔でＴＤＤ構成を変更させることができる。また、ＦｌｅｘＳＦが運用される場合、新しい端末も既存の端末のように一部のアップリンク伝送が制限される他のＴＤＤ構成の実施例とは異なって、Ｈａｌｆラジオフレーム単位に変更可能なＴＤＤ構成の場合で新しい端末は、ＦｌｅｘＳＦを利用して新しいアップリンク伝送プロセスを適用することができる。また、ＦｌｅｘＳＦ１７０３のように、特別サブフレームがＦｌｅｘＳＦとして運用される場合、基地局は、当該サブフレームの全体時区間を占有し、ダウンリンク伝送に使用することができる。すなわち、特別サブフレームがＦｌｅｘＳＦとして運用される場合、特別サブフレームとして運用された当該サブフレームは、基地局がダウンリンク帯域の少なくとも一部の帯域及び当該サブフレームの全体時区間を占有し、端末にダウンリンクデータを伝送可能な時区間であることができる。
【０２０７】
例えば、ＴＤＤ構成１でＨａｌｆラジオフレーム単位でＦｌｅｘＳＦが運用される場合、ＦｌｅｘＳＦとして運用されるサブフレームは、インデックス７及びインデックス８を含むことができる。
【０２０８】
また、ＦｌｅｘＳＦは、特別サブフレームとして運用されたインデックス６のサブフレームを含むことができる。ＴＤＤ構成１でＦｌｅｘＳＦが運用されない場合、インデックス６のサブフレームは、特別サブフレームの役目としてＴＤＤのダウンリンクとアップリンク間の遷移に必要な保護区間を含むことができる。一方、ＴＤＤ構成１でＨａｌｆラジオフレーム単位でＦｌｅｘＳＦが運用される場合、インデックス７及びインデックス８のサブフレームがＦｌｅｘＳＦとして運用されるので、インデックス６のサブフレームは、保護区間を含まなくてもよい。この際、インデックス６のサブフレームは、サブフレームの全体時区間を占有し、端末にダウンリンクデータを伝送可能な時区間であることができる。したがって、ＴＤＤ構成１でＦｌｅｘＳＦとして運用されることができるサブフレームに関する情報がインデックス７及びインデックス８のサブフレームに関する情報を含む場合、インデックス６のサブフレームに関する情報は含まれないとしても、端末及び／または基地局は、インデックス６のサブフレームがＦｌｅｘＳＦとして運用されることを認知するか、またはインデックス６のサブフレームの全体時区間を占有し、ダウンリンクデータを伝送可能であることを認知することができる。
【０２０９】
Ｈａｌｆラジオフレーム単位に変更可能なＴＤＤ構成の場合、ＨＡＲＱ時間関係は、下記表２０、表２１及び／または表２２を含むことができる。
【０２１０】
【表２０】
2014514797.tif 000022
【０２１１】
表２０は、基地局のＨＡＲＱ応答または再伝送スケジューリング情報に対するＰＵＳＣＨ伝送時点ｉ−ｋを示すものであることができる。表２０で、基地局のＨＡＲＱ応答（一例として、ＰＨＩＣＨ）または再伝送スケジューリング情報（一例として、ＰＤＣＣＨ）の伝送時点がｉ番目のサブフレームである場合、前記ｉ番目のサブフレームに相当する端末のデータ（一例として、ＰＵＳＣＨ）伝送時点は、ｉ−ｋ番目のサブフレームであることができる。ここで、ｋは、表２０の値であることができる。ＴＤＤ構成の”１  ｗｉｔｈ  ｈａｌｆ  ＦｌｅｘＳＦ”は、ＴＤＤ構成１でＨａｌｆラジオフレーム単位でＦｌｅｘＳＦが運用されることを示すことができる。ＮＡは、ＦｌｅｘＳＦの運用によって当該値が使用されないことを意味することができる。
【０２１２】
【表２１】
2014514797.tif 000023
【０２１３】
表２１は、ＰＵＳＣＨ伝送に対する基地局のＨＡＲＱ応答時点ｎ＋ｊを示すものであることができる。表２１で、端末のデータ（一例として、ＰＵＳＣＨ）の伝送／再伝送時点がｎ番目のサブフレームである場合、基地局のＨＡＲＱ応答時点は、ｎ＋ｊ番目のサブフレームであることができる。ここで、ｊは、表２１の値であることができる。表２１の”Ｆ”は、ＰＵＳＣＨが伝送されないサブフレームを示すことができる。
【０２１４】
【表２２】
2014514797.tif 000024
【０２１５】
表２２は、端末のＨＡＲＱ応答に対する基地局のデータ伝送時点ｍ−｛ｋ｝を示すものであることができる。表２２で、端末のＨＡＲＱ応答時点がｍである場合、基地局のダウンリンクデータ伝送時点及び／またはダウンリンクスケジューリング情報伝送時点は、ｍ−｛ｋ｝であることができる。ここで、集合｛ｋ｝は、表１９の値であることができる。
【０２１６】
図１８は、一実施例の一態様によるデータ伝送のための資源を示す例示図である。特別サブフレーム１８０１は、ダウンリンク部分１８０２、保護区間１８０３、及び／またはアップリンク部分１８０４を含むことができる。サブフレーム１８０９及び／またはサブフレーム１８１０は、特別サブフレーム１８０１がＦｌｅｘＳＦとして運用される場合、資源の構造を示すものであることができる。例えば、ＴＤＤ構成１でＨａｌｆラジオフレーム単位でＦｌｅｘＳＦが運用される場合、ＦｌｅｘＳＦとして運用されるインデックス６のサブフレームであることができる。サブフレーム１８０９及び／またはサブフレーム１８１０で、ＦｌｅｘＳＦを支援する新しい端末及び／または基地局は、当該サブフレームの全体時区間をすべてダウンリンク時区間として使用することができる。領域１８０５は、ＦｌｅｘＳＦを支援しない既存の端末に対する保護区間及びアップリンク部分であることができる。すなわち、ＦｌｅｘＳＦが運用される場合、ＦｌｅｘＳＦとして運用されるサブフレーム１８０９に対するアップリンクスケジューリング情報が伝送されないので、領域１８０５は、使用されない空きの領域であることができる。領域１８０６は、基地局がＦｌｅｘＳＦを支援する新しい端末にダウンリンクスケジューリングした領域であることができる。領域１８０５の少なくとも一部を介して基準信号が伝送されない場合、領域１８０６は、基地局が端末専用の基準信号を利用してデータを伝送する資源を示すことができる。また、領域１８０７の少なくとも一部で端末が基準信号を伝送する場合、領域１８０８は、既存の一般ダウンリンク伝送と同一の方式で基地局がサブフレーム１８１０の全体時区間を占有し、新しい端末に伝送する資源を示すことができる。また、領域１８０８で既存の一般ダウンリンク伝送方式が適用される場合、基地局は、新しい端末に基準信号及び端末専用の基準信号を一緒に伝送することができる。
【０２１７】
図１９は、一実施例の一態様によるシステムの干渉制御を示す例示図である。
【０２１８】
ＦｌｅｘＳＦを支援する基地局は、アップリンクサブフレームをダウンリンクで動的に運用することができる。この際、ＦｌｅｘＳＦを運用する基地局と隣接する隣接基地局のアップリンク伝送は、ＦｌｅｘＳＦを運用する基地局のＦｌｅｘＳＦとして運用される時区間でのダウンリンク信号から干渉を受けることができる。このようなＦｌｅｘＳＦの運用による基地局間の干渉を防止するために基地局（またはセル）１９０１は、基地局１９０１と隣接する隣接基地局１９０２に基地局間のＸ２リンク（またはメッセージ）１９０４を利用して第１信号を伝送することができる。第１信号は、基地局１９０１で伝送を中止するアップリンク及び／またはダウンリンクサブフレーム情報を示すブランキングマスク（ｂｌａｎｋｉｎｇ  ｍａｓｋ）信号を含むことができる。例えば、ブランキングマスク信号が基地局１９０１で伝送を中止するダウンリンクサブフレーム情報を示す場合、ブランキングマスク信号は、ダウンリンクデータスケジューリング及び／またはアップリンクデータスケジューリングを伝送しないダウンリンクサブフレームを示すものであることができる。基地局１９０１は、ブランキングマスク信号に相当するサブフレームでダウンリンクデータがスケジューリングされないか、またはアップリンク応答チャネル伝送及び／またはアップリンクスケジューリング情報が伝送されないように制御することができる。伝送を中止するアップリンクサブフレーム情報を示すブランキングマスク信号も、伝送を中止するダウンリンクサブフレーム情報を示すブランキングマスク信号と同一の役目をすることができる。
【０２１９】
すなわち、ブランキングマスク信号が基地局１９０１で伝送を中止するアップリンクサブフレーム情報を示す場合、ブランキングマスク信号は、基地局１９０１でサービスされる端末から受信されるデータ及び／または制御情報がないか、または端末にアップリンクデータ及び／または制御信号がスケジューリングされないアップリンクサブフレームを示すものであることができる。第１信号を受信した隣接基地局１９０２は、ＦｌｅｘＳＦとして運用されることができる可用資源（すなわち、候補サブフレーム）１９０５のうち第１信号によって基地局１９０１で伝送を中止するアップリンク（またはダウンリンク）サブフレームに属するサブフレームに相当する資源１９０６をＦｌｅｘＳＦとして運用することができる。したがって、基地局１９０２は、基地局１９０２から干渉を受けずに、ＦｌｅｘＳＦを運用することができる。
【０２２０】
図２０は、一実施例の一態様によるシステムの干渉制御を示す例示図である。例えば、ＬＴＥシステムでオーバーロード指示子（ｏｖｅｒｌｏａｄ ｉｎｄｉｃａｔｏｒ）（以下、“第２信号”という）２００３及び干渉指示子（ｈｉｇｈ−ｉｎｔｅｒｆｅｒｅｎｃｅ  ｉｎｄｉｃａｔｏｒ）（以下、“第３信号”という）２００４を利用してＦｌｅｘＳＦの運用による干渉が減少することができる。第２信号２００３は、当該セル（または基地局）で干渉を受ける周波数帯域情報またはどの周波数帯域が干渉が高いかに関する情報を含む信号であり、第３信号２００４は、当該セルで干渉を与えることができる周波数帯域情報または隣接セルでどの周波数帯域が干渉が高いものであるかに関する情報を含む信号であることができる。セルＡ  ２００１がセルＡと隣接する隣接セルＢ  ２００２に第３信号２００４を伝送するか、セルＢ  ２００２がセルＡ  ２００１に第２信号２００３を伝送する場合、各セルは、アップリンク（ＦｌｅｘＳＦが運用される時区間）でどの帯域が隣接セルに高い干渉を与えるかまたはどの帯域が隣接セルから高い干渉を受けるかを認知することができる。ＦｌｅｘＳＦを運用するセル２００２は、第２信号２００３及び／または第３信号２００４に基づいて動的サブフレームとして運用される時区間で相対的に干渉が多い周波数帯域２００５より干渉が少ない周波数帯域２００８に優先的にダウンリンクデータをスケジューリングすることができる。例えば、セル２０２は、干渉が少ない帯域２００６にデータ伝送電力が高い端末をスケジューリングし、干渉が多い帯域２００７にデータ伝送電力が低い端末をスケジューリングし、干渉を最小化することができる。
【０２２１】
図２１は、一実施例の一態様によるシステムの多重キャリア運用を示す例示図である。多重（ｍｕｌｔｉ）キャリアでＦｌｅｘＳＦが運用される場合、多重キャリアのフレームでＦｌｅｘＳＦが運用される位置（すなわち、サブフレームインデックス／インデックス）は、同一であることができる。例えば、要素キャリア（ｃｏｍｐｏｎｅｎｔ  ｃａｒｒｉｅｒ、以下、“ＣＣ”という）＃Ａのフレーム２１０１、ＣＣ  ＃Ｂのフレーム２１０２及びＣＣ  ＃Ｃのフレーム２１０３のように、キャリアが多重キャリア伝送で運用される場合、各フレームの同一の位置でＦｌｅｘＳＦ  ２１０４が運用されることができる。多重キャリアの同一の位置のサブフレームをＦｌｅｘＳＦとして運用することによって、キャリア間の交差スケジューリングが円滑に動作することができる。
【０２２２】
以下、図２２及び図３３を参照して一実施例の一態様による基地局及び／または端末のＴＤＤを支援する方法を説明する。
【０２２３】
基地局は、第１フレームのｎ番目のサブフレームで端末から伝送されたアップリンクデータを受信することができる。基地局は、第１フレーム以後に第２フレームのｎ番目のサブフレームで第２トランシーバにダウンリンクデータを伝送することができる。
【０２２４】
端末は、第１フレームのｎ番目のサブフレームで基地局にアップリンクデータを伝送することができる。第１フレーム以後に第２フレームのｎ番目のサブフレームで基地局から伝送されたダウンリンクデータを受信することができる。
【０２２５】
ここで、ｎは、整数であり、ｎ番目のサブフレームは、アップリンク時区間及びダウンリンク時区間のうち少なくとも１つとして選択的に運用されることができる時区間（すなわち、候補サブフレーム）であることができる。また、第１フレームのｎ番目のサブフレームは、アップリンク時区間であり、第２フレームのｎ番目のサブフレームは、選択的に運用されることができる時区間（候補サブフレーム）のうちダウンリンク時区間として活性化された時区間を示す動的サブフレームであることができる。
【０２２６】
図２２は、一実施例の一態様による基地局のＴＤＤを支援する方法を示す流れ図である。
【０２２７】
段階２２０１で、基地局は、ＦｌｅｘＳＦが運用されることができる候補サブフレームに関する情報またはＦｌｅｘＳＦが運用されることができることを示す情報を含むシステム情報（ｓｙｓｔｅｍ  ｉｎｆｏｒｍａｔｉｏｎ）を端末に伝送することができる。
【０２２８】
段階２２０２で、基地局は、スケジューリングする端末がＦｌｅｘＳＦを支援する端末であるか否かを判断することができる。当該端末がＦｌｅｘＳＦを支援しない場合、段階２２０６で、既存のＴＤＤ構成（ｃｏｎｆｉｇｕｒａｔｉｏｎ）でのデータチャネル（ＰＵＳＣＨまたはＰＤＳＣＨなど）及び／または制御チャネル（ＰＤＣＣＨまたはＰＨＩＣＨなど）に対する送受信動作を行うことができる。
【０２２９】
スケジューリングする端末がＦｌｅｘＳＦを支援する端末の場合、段階２２０３で、基地局は、スケジューリングするサブフレームをＦｌｅｘＳＦとして運用するか否かを判断することができる。当該サブフレームがＦｌｅｘＳＦとして運用されない場合、段階２２０６に進入することができる。
【０２３０】
基地局がスケジューリングするサブフレームをＦｌｅｘＳＦとして運用する場合、段階２２０４で、基地局は、システム情報に含まれた候補サブフレームのうちＦｌｅｘＳＦとして運用するサブフレームに対するアップリンクスケジューリング情報の伝送を排除することができる。
【０２３１】
段階２２０５で、基地局は、ＦｌｅｘＳＦで端末にダウンリンクデータを伝送することができる。また、段階２２０５で、基地局及び／または端末は、ＦｌｅｘＳＦの運用による新しいＨＡＲＱ動作を行うことができる。例えば、基地局及び／または端末は、図１０〜図１７または表５〜表２２で前述したＨＡＲＱ動作を行うことができる。
【０２３２】
図２３は、一実施例の一態様による端末のＴＤＤを支援する方法を示す流れ図である。
【０２３３】
段階２３０１で、端末は、ＦｌｅｘＳＦが運用されることができる候補サブフレームに関する情報またはＦｌｅｘＳＦが運用されることができることを示す情報を含むシステム情報を基地局から受信することができる。
【０２３４】
段階２３０２で、端末は、ＦｌｅｘＳＦを支援するか否かを判断することができる。
【０２３５】
ＦｌｅｘＳＦを支援しない場合、段階２３０６で、既存のＴＤＤ構成でのデータチャネル及び／または制御チャネルに対する送受信動作を行うことができる。また、ＦｌｅｘＳＦを支援しない端末の場合、候補サブフレームに関する情報またはＦｌｅｘＳＦが運用されることができることを示す情報に対する認識が不可能なので、段階２３０２での判断動作は省略されることができる。
【０２３６】
ＦｌｅｘＳＦを支援する端末である場合、段階２３０３で、端末は、候補サブフレームに対するアップリンクスケジューリング情報が受信されるか否かによってＦｌｅｘＳＦの運用可否を判断することができる。アップリンクスケジューリング情報が受信された場合、アップリンクスケジューリング情報に相当するサブフレームで段階２３０６の動作を行うことができる。
【０２３７】
段階２３０４で、候補サブフレームに対するアップリンクスケジューリング情報が受信されない場合、端末は、当該候補サブフレームがＦｌｅｘＳＦとして運用されることを識別することができる。また、段階２３０４で、端末にダウンリンクデータがスケジューリングされた場合、端末は、ＦｌｅｘＳＦでダウンリンクデータを受信することができ、ＦｌｅｘＳＦの運用による新しいＨＡＲＱ動作を行うことができる。
【０２３８】
以下、図２４〜図２７を参照して、基地局及び／または端末の動的サブフレームの運用方法を説明する。
【０２３９】
図２４は、一実施例の一態様による基地局のＴＤＤを支援する方法を示す流れ図である。
【０２４０】
段階２４０１で、基地局は、ＲＲＣシグナリングを利用して候補サブフレームに関する情報またはＦｌｅｘＳＦに対する構成情報を端末に伝送することができる。
【０２４１】
段階２４０２で、基地局は、ｎ−ｋ番目のサブフレームがｎ番目の候補サブフレームに対するスケジューリング情報を伝送する時区間であるか否かを判断することができる。基地局がｎ番目のサブフレームをＦｌｅｘＳＦとして運用することができない場合またはｎ−ｋ番目のサブフレームがｎ番目の候補サブフレームに対するスケジューリング情報を伝送するサブフレームではない場合、基地局は、ｎ番目のサブフレームをアップリンクサブフレームとして運用するか、またはＦｌｅｘＳＦを支援するための動作を終了することができる。
【０２４２】
基地局がｎ番目のサブフレームをＦｌｅｘＳＦとして運用することができる場合、段階２４０３で、基地局は、ｎ番目の候補サブフレームに対するＦｌｅｘＳＦとして活性化するか否かによってｎ−ｋ番目のサブフレームでアップリンクスケジューリング情報伝送可否を判断することができる。アップリンクスケジューリング情報を伝送する場合（すなわち、ｎ番目のサブフレームをＦｌｅｘＳＦとして運用しない場合）、段階２４０６で、基地局は、ｎ番目のサブフレームをアップリンクサブフレームとして運用することができる。
【０２４３】
基地局がｎ−ｋ番目のサブフレームでｎ番目のサブフレームに対するアップリンクスケジューリング情報を伝送しない場合、段階２４０４で、基地局は、ｎ番目のサブフレームからＥＤＬ−１番目のサブフレームまでＦｌｅｘＳＦとして運用することができる。ここで、ＥＤＬは、ｎ番目のサブフレーム以後に最も早いダウンリンクサブフレームのインデックスを示すことができる。例えば、図６のフレーム６０３で、ＦｌｅｘＳＦが少なくとも１つ運用される場合、ｎは、連続的に隣接するＦｌｅｘＳＦ  ６１０、６１１のうち時間軸で最も早いサブフレーム６１０に対するインデックスを示すことができる。また、ＥＤＬは、フレーム６０３でサブフレームインデックス５であることができる。
【０２４４】
段階２４０５で、基地局は、ｎ＋４以後あるいは定められた時間（ｎ番目のサブフレーム以後、またはｎ番目のサブフレームを含む連続的に隣接するＦｌｅｘＳＦ）以後に最も早いアップリンクサブフレームであるＥＵＬ番目のサブフレームで端末から伝送されたＰＵＣＣＨを受信することができる。
【０２４５】
図２５は、一実施例の一態様による端末のＴＤＤを支援する方法を示す流れ図である。
【０２４６】
段階２５０１で、端末は、基地局からＲＲＣ  ｓｉｇｎａｌｉｎｇを利用して候補サブフレームに関する情報またはＦｌｅｘＳＦに対する構成情報を受信することができる。
【０２４７】
段階２５０２で、端末は、ｎ−ｋ番目のサブフレームがｎ番目候補サブフレームに対するスケジューリング情報を伝送する時区間であるか否かを判断することができる。ｎ−ｋ番目のサブフレームがｎ番目候補サブフレームに対するスケジューリング情報を伝送するサブフレームではない場合、端末は、ＦｌｅｘＳＦを支援するための動作を終了することができる。
【０２４８】
ｎ−ｋ番目のサブフレームがｎ番目候補サブフレームに対するスケジューリング情報を伝送するサブフレームの場合、段階２５０３で、端末は、ｎ−ｋ番目のサブフレームでアップリンクスケジューリング情報（ＵＬ  ｇｒａｎｔ）が受信されるか否かを判断することができる。ｎ−ｋ番目のサブフレームでアップリンクスケジューリング情報が受信された場合、段階２５０６で、端末は、ｎ番目のサブフレームをアップリンク時区間として運用することができる。  ｎ−ｋ番目のサブフレームでアップリンクスケジューリング情報が受信されない場合、段階２５０４で、端末は、ｎ番目のサブフレームからＥＤＬ−１番目のサブフレームまでＦｌｅｘＳＦとして運用することができる。ここで、ＥＤＬは、ｎ番目のサブフレーム以後に最も早いダウンリンクサブフレームのインデックスを示すことができる。また、端末は、ＦｌｅｘＳＦで基地局から伝送されたダウンリンクスケジューリング情報またはダウンリンクデータを受信することができる。
【０２４９】
段階２５０５で、端末は、ｎ番目のサブフレームまたはｎ番目のサブフレームを含む連続的に隣接するＦｌｅｘＳＦ以後に最も早いアップリンクサブフレームであるＥＵＬ番目のサブフレームでダウンリンクデータに対するＨＡＲＱ応答情報を含むＰＵＣＣＨを伝送することができる。
【０２５０】
図２６は、一実施例の一態様による基地局のＴＤＤを支援する方法を示す流れ図である。
【０２５１】
段階２６０１で、基地局は、ＲＲＣシグナリングを利用してＦｌｅｘＳＦの構成情報（または候補サブフレームに関する情報）及びＦｌｅｘＳＦの運用可否に関する情報を端末に伝送することができる。ＦｌｅｘＳＦの構成情報（または候補サブフレームに関する情報）は、端末に初期伝送された後、当該情報の変更事項がある場合にのみ伝送されることもできる。ここで、基地局は、ＦｌｅｘＳＦの運用可否に関する情報を直接端末に伝送することによって、図２４の段階２５０３または図２５の段階２５０３でアップリンクスケジューリング情報の送受信可否と関係なく基地局及び／または端末は、ＦｌｅｘＳＦの運用可否を識別することができる。
【０２５２】
段階２６０２で、基地局は、段階２６０１の決定及び／またはＲＲＣシグナリングによってＦｌｅｘＳＦの運用可否を判断することができるか、またはＦｌｅｘＳＦの運用可否によって段階２６０３または段階２６０６に分けられて動作することができる。ＦｌｅｘＳＦが運用されない場合、段階２６０６で、基地局は、ｎ−ｔｈサブフレームをアップリンクサブフレームとして運用することができる。
【０２５３】
ＦｌｅｓＳＦが運用される場合、段階２６０３で、基地局は、ｎ−ｋサブフレームがＦｌｅｘＳＦとして運用されるｎ番目のサブフレームまたはＦｌｅｘＳＦに対するスケジューリング情報を伝送する時区間であるか否かを判断することができる。基地局がｎ番目のサブフレームをＦｌｅｘＳＦとして運用することができない場合またはｎ−ｋ番目のサブフレームがｎ番目ＦｌｅｘＳＦに対するスケジューリング情報を伝送するサブフレームではない場合、基地局は、ＦｌｅｘＳＦを支援するための動作を終了することができる。
【０２５４】
ｎ−ｋ番目のサブフレームがｎ番目のＦｌｅｘＳＦに対するスケジューリング情報を伝送するサブフレームである場合、段階２６０４で、基地局は、ｎ番目のＦｌｅｘＳＦに対するアップリンクスケジューリング情報の伝送を排除することができる。段階２６０４及び段階２６０５は、図２４の段階２４０４及び段階２４０５で前述したので、説明を省略する。
【０２５５】
図２７は、一実施例の一態様による端末のＴＤＤを支援する方法を示す流れ図である。
【０２５６】
段階２７０１で、端末は、ＲＲＣシグナリングを利用してＦｌｅｘＳＦの構成情報及びＦｌｅｘＳＦの運用可否に関する情報を基地局から受信することができる。
【０２５７】
段階２７０２で、端末は、ＲＲＣシグナリングを通じて受信されたＦｌｅｘＳＦの運用可否を判断することができる。ＦｌｅｘＳＦが運用されない場合、端末は、段階２７０６で、ｎ番目のサブフレームをアップリンクサブフレームとして識別するか、またはアップリンクサブフレームとして運用することができる。
【０２５８】
ＦｌｅｘＳＦが運用される場合、段階２７０３で、端末は、ｎ−ｋ番目のサブフレームがＦｌｅｘＳＦとして運用されるｎ番目のサブフレームまたはＦｌｅｘＳＦに対するアップリンクスケジューリング情報を伝送する時区間であるか否かを判断することができる。ｎ−ｋ番目のサブフレームがｎ番目のＦｌｅｘＳＦに対するスケジューリング情報を伝送するサブフレームではない場合、端末は、ＦｌｅｘＳＦを支援するための動作を終了することができる。
【０２５９】
ｎ−ｋ番目のサブフレームがｎ番目のＦｌｅｘＳＦに対するアップリンクスケジューリング情報を伝送するサブフレームである場合、端末は、段階２７０４に進入することができる。端末は、ＦｌｅｘＳＦの運用可否に関する情報を利用し、ｎ−ｋ番目のサブフレームでｎ番目ＦｌｅｘＳＦに対するアップリンクスケジューリング情報が受信されないことをあらかじめ把握することができる。段階２７０４及び段階２７０５は、図２５の段階２５０４及び段階２５０５で前述したので、説明を省略する。
【０２６０】
図２８は、一実施例の一態様による基地局のＴＤＤを支援する方法を示す流れ図である。例えば、図２８は、図１７のフレーム１７０２のように、特別サブフレームがＦｌｅｘＳＦとして運用される場合、基地局のＴＤＤを支援する方法であることができる。
【０２６１】
段階２８０１で、基地局は、特別サブフレームを含み、特別サブフレームからＥＳＤＬ−１番目のサブフレームまでの隣接するサブフレームをＦｌｅｘＳＦとして運用可能であるか否かを判断することができる。ここで、ＥＳＤＬは、特別サブフレーム以後に最も早いダウンリンクサブフレームのインデックスであることができる。段階２８０１で、当該サブフレームをＦｌｅｘＳＦとして運用することができない場合、基地局は、特別サブフレームを含むＦｌｅｘＳＦを支援する動作を終了することができる。
【０２６２】
特別サブフレームを含むＦｌｅｘＳＦをＦｌｅｘＳＦとして運用可能な場合、段階２８０２で、基地局は、ＦｌｅｘＳＦとして運用可能な特別サブフレームで伝送されるダウンリンクスケジューリング情報（ＤＬ  ｇｒａｎｔ）またはダウンリンクデータに相当し、ＦｌｅｘＳＦを支援する端末があるか否かを判断することができる。段階２８０２で、ダウンリンクスケジューリング情報（またはダウンリンクデータ）に相当する端末が存在しないか、またはＦｌｅｘＳＦを支援する端末が存在しない場合、基地局は、特別サブフレームを含むＦｌｅｘＳＦを支援する動作を終了することができる。
【０２６３】
段階２８０２の条件を満たす端末がある場合、段階２８０３で、基地局は、特別サブフレームに対するアップリンクスケジューリングを行うか否かを判断することができる。例えば、ＦｌｅｘＳＦを支援する新しい端末及びＦｌｅｘＳＦを支援しない既存の端末が共存する場合、既存の端末に対するアップリンクスケジューリングが必要であるか否かを判断することができる。新しい端末及び既存の端末が共存する場合、資源の利用方式は、図１８を通じて前述したので、説明を省略する。
【０２６４】
段階２８０３で、基地局が特定端末（例えば、既存の端末）に対して特別サブフレームに属するアップリンク部分に対するアップリンクスケジューリングを行う場合、段階２８０６で、基地局は、特別サブフレームのダウンリンク部分（ＤＬ  ｔｉｍｉｎｇ）に既存の端末または一部の端末に対するＰＤＳＣＨを資源割り当てることができる。
【０２６５】
段階２８０３で、基地局が特別サブフレームに対する特定端末（例えば、新しい端末）のアップリンクスケジューリングを行わない場合、段階２８０４で、基地局は、当該端末（または端末）に特別サブフレームで基準信号のうちＣＲＳ（Ｃｏｍｍｏｎ  Ｒｅｆｅｒｅｎｃｅ  Ｓｉｇｎａｌ）を伝送するか否かを判断することができる。段階２８０４で、特別サブフレームでＣＲＳを伝送する場合、段階２８０７で、基地局は、ＣＲＳとともにダウンリンクデータ（一例として、ＰＤＳＣＨ）を特別サブフレーム全体時区間を占有して伝送することができる。
【０２６６】
段階２８０４で、特別サブフレームでＣＲＳを伝送しない場合、段階２８０５で、基地局は、基準信号のうちＤＭ  ＲＳ（Ｄｅｍｏｄｕｌａｔｉｏｎ  Ｒｅｆｅｒｅｎｃｅ  Ｓｉｇｎａｌ）とともにダウンリンクデータ（一例として、ＰＤＳＣＨ）を特別サブフレーム全体時区間を占有して伝送することができる。
【０２６７】
図２９は、一実施例の一態様による端末のＴＤＤを支援する方法を示す流れ図である。
【０２６８】
段階２９０１で、端末は、あらかじめ約束されたＴＤＤ構成情報（またはＦｌｅｘＳＦ構成情報）、システム情報及び／またはＲＲＣシグナリングなどを利用し、特別サブフレームからＥＳＤＬ−１番目のサブフレームまでの隣接するサブフレームをＦｌｅｘＳＦとして運用可能であるか否かを判断することができる。ここで、ＥＳＤＬは、特別サブフレーム以後に最も早いダウンリンクサブフレームのインデックスであることができる。
【０２６９】
特別サブフレームがＦｌｅｘＳＦとして運用される場合、段階２９０３で、端末（一例として、既存の端末）は、特別サブフレームに対するアップリンクスケジューリング情報を受信したか否かを判断することができる。例えば、図２２〜図２５で、システム情報またはＲＲＣシグナリングを通じて基地局が端末にＦｌｅｘＳＦが運用されることができることに関する情報を伝送し、候補サブフレームに対するＦｌｅｘＳＦへの活性化可否は、候補サブフレームに対するアップリンクスケジューリング情報の送／受信可否によって識別されることができる。また、図２６及び図２７の実施例のように、ＲＲＣシグナリングを通じて端末がＦｌｅｘＳＦとして運用されることをあらかじめ把握することもできる。
【０２７０】
段階２９０３で、端末が特別サブフレームに対するアップリンクスケジューリング情報を受信した場合、段階２９０６で、端末は、ダウンリンク部分（ＤＬ  ｔｉｍｉｎｇ）で基地局から伝送されたＰＤＳＣＨを受信することができる。
【０２７１】
段階２９０３で、端末が特別サブフレームに対するアップリンクスケジューリング情報が受信されない場合、段階２９０４で、特別サブフレームで基地局からＣＲＳが伝送されるか否かを判断することができる。特別サブフレームでＣＲＳが伝送される場合、段階２９０７で、端末は、特別サブフレーム全体時区間を占有し、ＣＲＳとともに伝送されたダウンリンクデータを受信することができる。
【０２７２】
特別サブフレームでＣＲＳが伝送されない場合、段階２９０５で、端末は、特別サブフレーム全体時区間を占有し、ＤＭ  ＲＳとともに伝送されたダウンリンクデータを基地局から受信することができる。
【０２７３】
以下、図３０〜図３１を参照して、一例として、図１９でのブランキングマスク（ｂｌａｎｋｉｎｇ  ｍａｓｋ）信号を利用して干渉を制御する方法について説明する。
【０２７４】
図３０は、一実施例の一態様による基地局の干渉を制御する方法を示す流れ図である。
【０２７５】
段階３００１で、基地局は、アップリンク伝送サブフレームのうち端末からの受信に使用しない伝送を中止するサブフレームを設定することができる。
【０２７６】
段階３００２で、基地局は、設定されたサブフレーム（または伝送を中止するサブフレーム）に関する情報を含むブランキングマスク（ｂｌａｎｋｉｎｇ  ｍａｓｋ）信号を生成することができる。ブランキングマスク信号は、伝送を中止するアップリンクサブフレーム及び／またはダウンリンクサブフレームに関する情報を含むことができる。
【０２７７】
段階３００３で、基地局は、生成されたブランキングマスク信号を隣接する基地局に伝送することができる。
【０２７８】
段階３００４で、基地局は、設定されたサブフレームが使用されないようにブランキングマスク信号と相当する当該サブフレームでスケジューリングを中止することができる。
【０２７９】
図３１は、一実施例の一態様による基地局の干渉を制御する方法を示す流れ図である。
【０２８０】
段階３１０１で、基地局は、隣接基地局で伝送を中止するアップリンク（またはダウンリンク）サブフレームに関する情報を含むブランキングマスク信号を隣接基地局から受信することができる。
【０２８１】
段階３１０２で、基地局は、受信された信号に含まれた情報を基盤にして隣接基地局の伝送を中止するアップリンク（またはダウンリンク）サブフレームに属する少なくとも一部のサブフレームを自分のセルのＦｌｅｘＳＦとして決定することができる。
【０２８２】
段階３１０３で、基地局は、ＦｌｅｘＳＦで端末にダウンリンクスケジューリングを行うことができる
【０２８３】
以下、図３２〜図３３を参照して、一例として、図２０でのオーバーロード指示子（ｏｖｅｒｌｏａｄ  ｉｎｄｉｃａｔｏｒ）及び干渉指示子（ｉｎｔｅｒｆｅｒｅｎｃｅ  ｉｎｄｉｃａｔｏｒ）を利用して干渉を制御する方法について説明する。
【０２８４】
図３２は、一実施例の一態様による基地局の干渉を制御する方法を示す流れ図である。
【０２８５】
段階３２０１で、基地局は、隣接基地局から受信されるアップリンク干渉信号を測定することができる。
【０２８６】
段階３２０２で、基地局は、測定された干渉信号に基づいてオーバーロード指示子を生成することができる。
【０２８７】
段階３２０３で、基地局は、スケジューリングする資源のうち高い電力を使用する端末の資源領域を識別することができる。
【０２８８】
段階３２０４で、基地局は、識別された資源領域に基づいて干渉指示子を生成することができる。
【０２８９】
段階３２０５で、基地局は、隣接基地局にオーバーロード指示子及び干渉指示子を伝送することができる。
【０２９０】
図３３は、一実施例の一態様による基地局の干渉を制御する方法を示す流れ図である。
【０２９１】
段階３３０１で、基地局は、Ｘ２インターフェースを介してオーバーロード指示子及び干渉指示子を隣接基地局から受信することができる。
【０２９２】
段階３３０２で、基地局は、受信されたオーバーロード指示子及び干渉指示子のうち少なくとも１つに基づいて、ＦｌｅｘＳＦとして運用される時区間で相対的に干渉が少ない周波数帯域に優先的にダウンリンクデータをスケジューリングすることができる。
【０２９３】
前述した実施例は、多様なコンピュータ手段を用いて行われることができるプログラム命令形態で具現され、コンピュータ読み取り可能媒体に記録されることができる。前記コンピュータ読み取り可能媒体は、プログラム命令、データファイル、データ構造などを単独でまたは組み合わせて含むことができる。前記媒体に記録されるプログラム命令は、本発明のために特別に設計され、構成されたものであるか、またはコンピュータソフトウェア当業者に公知されて使用可能なものであってもよい。
【０２９４】
以上のように、本発明は、たとえ限定された実施例と図面によって説明されたが、本発明は、前記実施例に限定されるものではなく、本発明の属する分野における通常の知識を有する者ならこのような記載から多様な修正及び変形が可能である。
【０２９５】
したがって、本発明の範囲は、説明された実施例に限定して定められるべきものではなく、後述する特許請求範囲だけでなく、この特許請求範囲と均等なものなどによって定められるべきである。
【符号の説明】
【０２９６】
３０１  制御部
３０２  アップリンクスケジューリング情報生成部
３０３  ダウンリンクスケジューリング情報生成部
３０４  ＰＨＩＣＨエンコーダー
３０５  ＰＤＳＣＨエンコーダー
３０６  ＰＵＣＣＨデコーダー
３０７  ＰＵＳＣＨデコーダー
３０９  Ｘ２メッセージエンコーダー
３１０  Ｘ２メッセージデコーダー
３１１  時分割多重化器／逆多重化器
３１２  送受信部
【図１】
2014514797.tif 000025
【図２】
2014514797.tif 000026
【図３】
2014514797.tif 000027
【図４】
2014514797.tif 000028
【図５】
2014514797.tif 000029
【図６】
2014514797.tif 000030
【図７】
2014514797.tif 000031
【図８】
2014514797.tif 000032
【図９】
2014514797.tif 000033
【図１０】
2014514797.tif 000034
【図１１】
2014514797.tif 000035
【図１２】
2014514797.tif 000036
【図１３】
2014514797.tif 000037
【図１４】
2014514797.tif 000038
【図１５】
2014514797.tif 000039
【図１６】
2014514797.tif 000040
【図１７】
2014514797.tif 000041
【図１８】
2014514797.tif 000042
【図１９】
2014514797.tif 000043
【図２０】
2014514797.tif 000044
【図２１】
2014514797.tif 000045
【図２２】
2014514797.tif 000046
【図２３】
2014514797.tif 000047
【図２４】
2014514797.tif 000048
【図２５】
2014514797.tif 000049
【図２６】
2014514797.tif 000050
【図２７】
2014514797.tif 000051
【図２８】
2014514797.tif 000052
【図２９】
2014514797.tif 000053
【図３０】
2014514797.tif 000054
【図３１】
2014514797.tif 000055
【図３２】
2014514797.tif 000056
【図３３】
2014514797.tif 000057
【国際調査報告】
2014514797.tif 000058
2014514797.tif 000059
2014514797.tif 000060